(57)【要約】      （修正有）【課題】ページング失敗の確率を低減した高速ページング・チャネルを提供する。【解決手段】ランダム接続無線通信システムにおける高速ページング・チャネルは、アクセス端末又はアクセス端末のグループに対するページング・メッセージの存在を識別する高速ページング・フレーム中の少なくとも１ビットを含む。第１のアクセス端末に対するページング・メッセージの存在を識別する高速ページング・ビットは、１又はそれより多くの追加のアクセス端末に対応する１又はそれより多くの高速ページング・ビットとともにエンコードされて、１又はそれより多くの順方向誤り訂正ビットを生成する。一緒にエンコードされる高速ページング・ビットは、追加の情報フレームとともに高速ページング・フレームを時分割多重化することによって複数のアクセス端末に同報通信される。ページング・ブロックは、しかも圧縮されることができる。【選択図】図３
2011151818.tif 000002
【特許請求の範囲】
【請求項１】
アクセス端末に通知する方法であって、
該アクセス端末に対してスケジュールされるメッセージの存在を判断すること；
高速ページング・ブロック中の複数の高速ページング・ビットから１つの高速ページング・ビットを設定すること、ここにおいて、該高速ページング・ビットは該アクセス端末に対応する；
エンコードされた高速ページング・パケットを生成するために該高速ページング・ブロックをエンコードすること；
該エンコードされた高速ページング・ブロックの少なくとも一部分を有する少なくとも１つの直交周波数分割多重化（ＯＦＤＭ）シンボルを生成すること；及び
該少なくとも１つのＯＦＤＭシンボルを送信すること、
を具備する方法。
【請求項２】
該少なくとも１つのＯＦＤＭシンボルを該生成することは、全体のエンコードされた高速ページング・ブロックを有する該少なくとも１つのＯＦＤＭシンボルを生成することを備える、請求項１の方法。
【請求項３】
該高速ページング・ブロックとは異なる追加ビットを生成すること；及び
該高速ページング・ブロックをエンコードする前に該高速ページング・ブロックに該追加ビットを添付すること、
をさらに具備する、請求項１の方法。
【請求項４】
圧縮された高速ページング・ブロックを生成するために該高速ページング・ブロックを圧縮すること、をさらに具備し、そして
ここにおいて、該高速ページング・ブロックをエンコードすることは、該圧縮された高速ページング・ブロックをエンコードすることを備える、
ことを特徴とする、請求項１の方法。
【請求項５】
該高速ページング・ブロックを圧縮することは、
該複数の高速ページング・ビットからアサートされた高速ページング・ビットの数を決定すること；及び
該アサートされたビットの数が予め決められた量より小さい場合、該高速ページング・ブロック内の該アサートされた高速ページング・ビットの位置を示す連続するフィールドを生成すること、
を備える、請求項４の方法。
【請求項６】
該高速ページング・ブロックを圧縮することは、
該複数の高速ページング・ビットからアサートされた高速ページング・ビットの数を決定すること；及び
該アサートされたビットの数が予め決められた量より大きい場合、該高速ページング・ブロックを表示する予め決められた値を生成すること、
を備える、請求項４の方法。
【請求項７】
該高速ページング・ブロックをエンコードすることは、該高速ページング・ブロックを体系的にエンコードすることを備える、請求項１の方法。
【請求項８】
該高速ページング・ブロックをエンコードすることは、該高速ページング・ブロックを含んでいるパケットの巡回冗長コードを生成することを備える、請求項１の方法。
【請求項９】
該少なくとも１つのＯＦＤＭシンボルを送信することは、少なくとも１つのチャネルを介して別の情報と該少なくとも１つのＯＦＤＭシンボルとを時分割多重化することを備える、請求項１の方法。
【請求項１０】
該少なくとも１つのＯＦＤＭシンボルを送信することは、スーパーフレーム・プリアンブルの間に該少なくとも１つのＯＦＤＭシンボルを送信することを備える、請求項１の方法。
【請求項１１】
アクセス端末に通知する方法であって、
複数のアクセス端末に対応する複数のビットを有する高速ページング・ブロック中に該アクセス端末に対応する１つの高速ページング・ビットを設定すること；
圧縮された高速ページング・ブロックを生成するために該高速ページング・ブロックを圧縮すること；及び
エンコードされた高速ページング・ブロックを生成するために該圧縮された高速ページング・ブロックをエンコードすること、
を具備する方法。
【請求項１２】
無線通信システムの少なくとも１つのチャネルを介して別の情報と該エンコードされた高速ページング・ブロックとを時分割多重化することをさらに具備する、請求項１１の方法。
【請求項１３】
該エンコードされた高速ページング・ブロックの少なくとも一部分を有する直交周波数分割多重化（ＯＦＤＭ）シンボルを生成すること；及び
該ＯＦＤＭシンボルを送信すること、
をさらに具備する、請求項１１の方法。
【請求項１４】
該ＯＦＤＭシンボルを生成することは、該ＯＦＤＭシンボルの実質的に全ての信号を搬送するサブキャリア上へと該エンコードされた高速ページング・ブロックの少なくとも一部分を変調することを備える、請求項１３の方法。
【請求項１５】
該ＯＦＤＭシンボルを生成することは、該ＯＦＤＭシンボルのサブキャリアの少なくとも部分集合上へと該エンコードされた高速ページング・ブロックの少なくとも一部分を直角位相シフト・キーイング（ＱＰＳＫ）変調することを備える、請求項１３の方法。
【請求項１６】
高速ページング・メッセージを処理する方法であって、
高速ページング・パケットを受信すること；
高速ページング・ブロックを生成するために該高速ページング・パケットをデコードすること；
該高速ページング・ブロックを逆圧縮すること；及び
該逆圧縮プロセスの出力に基づいてアクセス端末に関係付けられた高速ページング・ビットのステータスを判断すること、
を具備する方法。
【請求項１７】
該高速ページング・パケットを受信することは、該高速ページング・ブロックと負荷制御ブロックとを含んでいる該高速ページング・パケットを受信することを備える、請求項１６の方法。
【請求項１８】
該高速ページング・パケットを受信することは、該高速ページング・パケットの少なくとも一部分を有する直交周波数分割多重化（ＯＦＤＭ）シンボルを受信することを備える、請求項１６の方法。
【請求項１９】
該高速ページング・ビットの該ステータスを判断することは、
該逆圧縮プロセスの出力に基づいて該高速ページング・ブロック中のアサートされたビットの位置を決定すること；及び
該位置を該アクセス端末に関係付けられた該高速ページング・ビットの位置と比較すること、
を備える、請求項１６の方法。
【請求項２０】
高速ページング・メッセージを生成するための装置であって、システムは、
アクセス端末に対してスケジュールされたページング・メッセージを判断するために構成されたスケジューラ；
該スケジューラに接続され、そして該アクセス端末に対応する高速ページング・ビットをアサートするために構成され且つ少なくとも該高速ページング・ビットと別個のアクセス端末に対応する別個の高速ページング・ビットとを有する高速ページング・ブロックを生成するために構成された高速ページング・ブロック生成器；
該高速ページング・ブロック生成器に接続され、そして該高速ページング・ブロックに基づいてエンコードされた高速ページング・パケットを生成するために構成されたエンコーダ；及び
該エンコーダに接続され、そして該エンコードされた高速ページング・パケットの少なくとも一部分を有する少なくとも１つの直交周波数分割多重化（ＯＦＤＭ）シンボルを生成するために構成された送信プロセッサ、
を具備することを特徴とする、装置。
【請求項２１】
該高速ページング・ブロック生成器に接続され、そして該高速ページング・ブロックを圧縮するため且つ圧縮された高速ページング・ブロックを生成するために構成された圧縮ブロック、をさらに具備し、そして
ここにおいて、該エンコーダは、該圧縮ブロックに接続され、そして該圧縮された高速ページング・ブロックに基づいて該エンコードされた高速ページング・パケットを生成するために構成される
ことを特徴とする、請求項２０の装置。
【請求項２２】
高速ページング・ビットとは異なる少なくとも１つのビットを有する負荷制御ブロックを生成するために構成された負荷制御モジュール；
該高速ページング・ブロック生成器及び負荷制御ブロックに接続され、そして該負荷制御ブロックと該高速ページング・ブロックとを統合するために構成された統合器、をさらに具備し、そして
ここにおいて、該エンコーダは該統合器の統合された出力をエンコードするために構成される
ことを特徴とする、請求項２０の装置。
【請求項２３】
該送信プロセッサに接続され、そしてスーパーフレーム・プリアンブルの間に該少なくとも１つのＯＦＤＭシンボルを送信するために構成された送信機
をさらに具備する、請求項２０のシステム。
【請求項２４】
該エンコーダに接続され、そして少なくとも１つのチャネルを介して該エンコードされた高速ページング・パケットを別の情報と時分割多重化するために構成された送信機
をさらに具備する、請求項２０のシステム。
【請求項２５】
アクセス端末に通知するための装置であって、システムは、
該アクセス端末に対してスケジュールされるメッセージの存在を判断するための手段；
高速ページング・ブロック中の複数の高速ページング・ビットから１つの高速ページング・ビットを設定するための手段、ここにおいて、該高速ページング・ビットは該アクセス端末に対応する；
エンコードされた高速ページング・パケットを生成するために該高速ページング・ブロックをエンコードするための手段；
該エンコードされた高速ページング・ブロックの少なくとも一部分を有する少なくとも１つの直交周波数分割多重化（ＯＦＤＭ）シンボルを生成するための手段；及び
該少なくとも１つのＯＦＤＭシンボルを送信するための手段、
を具備する装置。
【請求項２６】
該少なくとも１つのＯＦＤＭシンボルを生成するための該手段は、エンコードされた高速ページング・ブロック全体を有する少なくとも１つのＯＦＤＭシンボルを生成するための手段を備える、請求項２５の装置。
【請求項２７】
該高速ページング・ブロックとは異なる追加ビットを生成するための手段；及び
該高速ページング・ブロックをエンコードする前に該高速ページング・ブロックに該追加ビットを添付するための手段、
をさらに具備する、請求項２５の装置。
【請求項２８】
圧縮された高速ページング・ブロックを生成するために該高速ページング・ブロックを圧縮するための手段、をさらに具備し、そして
ここにおいて、該高速ページング・ブロックをエンコードするための該手段は、該圧縮された高速ページング・ブロックをエンコードするための手段を備える、
ことを特徴とする、請求項２５の装置。
【請求項２９】
該高速ページング・ブロックを圧縮するための該手段は、
該複数の高速ページング・ビットからアサートされた高速ページング・ビットの数を決定するための手段；及び
該アサートされたビットの数が予め決められた量より小さい場合、該高速ページング・ブロック内の該アサートされた高速ページング・ビットの位置を示す連続するフィールドを生成すること、
を備える、請求項２８の方法。
【請求項３０】
該高速ページング・ブロックを圧縮するための該手段は、
該複数の高速ページング・ビットからアサートされた高速ページング・ビットの数を決定するための手段；及び
該アサートされたビットの数が予め決められた量より大きい場合、該高速ページング・ブロックを表示する予め決められた値を生成するための手段、
を備える、請求項２８の方法。
【請求項３１】
アクセス端末に通知するための装置であって、システムは、
該アクセス端末に対応する高速ページング・ビットを設定するための手段；
エンコードされた高速ページング・ブロックを生成するために別個のアクセス端末に対応する少なくとも１つの追加高速ページング・ビットとともに該高速ページング・ビットを一緒にエンコーディングするための手段；及び
チャネルを介して別個の情報と該エンコードされた高速ページング・ブロックとを時分割多重化するための手段、
を具備することを特徴とする、装置。
【請求項３２】
無線通信システムの少なくとも１つのチャネルを介して別の情報と該エンコードされた高速ページング・ブロックとを時分割多重化するための手段をさらに具備する、請求項３１の装置。
【請求項３３】
該エンコードされた高速ページング・ブロックの少なくとも一部分を有する少なくとも１つの直交周波数分割多重化（ＯＦＤＭ）シンボルを生成するための手段、
をさらに具備する、請求項３１の装置。
【請求項３４】
該少なくとも１つのＯＦＤＭシンボルを生成するための該手段は、該少なくとも１つのＯＦＤＭシンボルの実質的に全ての信号を搬送するサブキャリア上へと該エンコードされた高速ページング・ブロックの少なくとも一部分を変調することを備える、請求項３３の装置。
【請求項３５】
該少なくとも１つＯＦＤＭシンボルを生成することは、該少なくとも１つのＯＦＤＭシンボルのサブキャリアの少なくとも部分集合上へと該エンコードされた高速ページング・ブロックの少なくとも一部分を直角位相シフト・キーイング（ＱＰＳＫ）変調することを備える、請求項３３の装置。
【請求項３６】
高速ページング・メッセージを処理するための装置であって、システムは
高速ページング・パケットを受信するための手段；
高速ページング・ブロックを生成するために該高速ページング・パケットをデコードするための手段；
該高速ページング・ブロックを逆圧縮するための手段；及び
該逆圧縮プロセスの出力に基づいてアクセス端末に関係付けられた高速ページング・ビットのステータスを判断するための手段、
を具備することを特徴とする、装置。
【請求項３７】
該高速ページング・パケットを受信するための該手段は、該高速ページング・ブロックと負荷制御ブロックとを含んでいる該高速ページング・パケットを受信するための手段を備える、請求項３６の装置。
【請求項３８】
該高速ページング・パケットを受信するための該手段は、該高速ページング・パケットの少なくとも一部分を有する少なくとも１つの直交周波数分割多重化（ＯＦＤＭ）シンボルを受信するための手段を備える、請求項３６の装置。
【請求項３９】
該高速ページング・ビットの該ステータスを判断するための該手段は、
該逆圧縮プロセスの出力に基づいて該高速ページング・ブロック中のアサートされたビットの位置を決定するための手段；及び
該位置を該アクセス端末に関係付けられた該高速ページング・ビットの位置と比較するための手段、
を備える、請求項３６の装置。
【請求項４０】
１又はそれより多くのプロセッサによって利用されることができる命令を含んでいるプロセッサ読み取り可能な媒体であって、該命令は、
該アクセス端末に対してスケジュールされるメッセージの存在を判断するための命令；
高速ページング・ブロック中の複数の高速ページング・ビットから１つの高速ページング・ビットを設定するための命令、ここにおいて、該高速ページング・ビットは該アクセス端末に対応する；
エンコードされた高速ページング・パケットを生成するために該高速ページング・ブロックをエンコードするための命令；
該エンコードされた高速ページング・ブロックの少なくとも一部分を有する少なくとも１つの直交周波数分割多重化（ＯＦＤＭ）シンボルを生成するための命令；及び
該少なくとも１つのＯＦＤＭシンボルを送信するための命令、
を具備することを特徴とする、プロセッサ読み取り可能な媒体。
【請求項４１】
該命令は、
圧縮された高速ページング・ブロックを生成するために該高速ページング・ブロックを圧縮するための命令、
をさらに具備することを特徴とする、請求項４１のプロセッサ読み取り可能な媒体。
【請求項４２】
１又はそれより多くのプロセッサによって利用されることができる命令を含んでいるプロセッサ読み取り可能な媒体であって、該命令は、
複数のアクセス端末に対応する複数のビットを有する高速ページング・ブロック中に該アクセス端末に対応する高速ページング・ビットを設定するための命令；
圧縮された高速ページング・ブロックを生成するために該高速ページング・ブロックを圧縮するための命令；及び
エンコードされた高速ページング・ブロックを生成するために該圧縮された高速ページング・ブロックをエンコードするための命令、
を具備することを特徴とする、プロセッサ読み取り可能な媒体。
【請求項４３】
１又はそれより多くのプロセッサによって利用されることができる命令を含んでいるプロセッサ読み取り可能な媒体であって、該命令は、
高速ページング・パケットを処理するための命令；
高速ページング・ブロックを生成するために該高速ページング・パケットをデコードするための命令；
該高速ページング・ブロックを逆圧縮するための命令；及び
該逆圧縮プロセスの出力に基づいてアクセス端末に関係付けられた高速ページング・ビットのステータスを判断するための命令、
を具備することを特徴とする、プロセッサ読み取り可能な媒体。
【請求項４４】
該命令は、
該逆圧縮プロセスの出力に基づいて該高速ページング・ブロック中のアサートされたビットの位置を決定するための命令；及び
該位置を該アクセス端末に関係付けられた該高速ページング・ビットの位置と比較するための命令、
をさらに備えることを特徴とする、請求項４１のプロセッサ読み取り可能な媒体。
【発明の詳細な説明】
【技術分野】
【０００１】
［米国特許法３５§１１９による優先権の主張］
本出願は、米国特許仮出願番号第６０／６９１，９０１号、２００５年６月１６日出願、名称“ページング失敗の確率を低減した高速ページング・チャネル（QUICK PAGING CHANNEL WITH REDUCED PROBABILITY OF MISSED PAGES）”、及び米国特許仮出願番号第６０／７３１，０３７号、２００５年１０月２７日出願、名称“移動体広帯域無線通信のより高いＭＡＣを提供するための方法及び装置（METHOD AND APPARATUS FOR PROVIDING MOBILE BROADBAND WIRELESS HIGHER MAC）”、に優先権を主張し、両方とも本出願の譲受人に譲渡され、そして本明細書中に引用によってその全体が取り込まれている。
【背景技術】
【０００２】
ランダム接続無線通信システムにおいて、アクセス端末とアクセス・ポイントとの間の通信リンクは、連続的ではない。アクセス端末は、アクセス・ポイントを自動記録することができ、そしてアイドル状態に留まることができる。アクセス端末は、アクティブな通信リンクを開始するためにアイドル状態からアクティブ状態に移行することができる。アクティブ状態では、アクセス端末は、アクセス・ポイントから情報を受信することができると同様にアクセス・ポイントに情報を送信することができる。
【０００３】
大部分の時間のあいだ、アクセス端末は、アイドル状態に留まり、アクティブ状態への移行を待機する。アクセス端末は、一般的に移動デバイスであり、それはそのデバイス内部に格納された電池で動作する。アクセス端末は、低電力状態、しばしばスリープ状態と呼ばれる、に移行することにより、エネルギーを節約することができ、そして電池動作される稼働時間を延長することができる。しかしながら、多くの事例では、アクセス端末は、スリープ状態からアクティブ状態にすぐには移行できない。
【０００４】
アクセス端末は、それがスリープ状態にあるときにアクセス・ポイントによって送信される情報をモニタする能力を一般的に持たない。したがって、アクセス端末は、一般的に、アクセス・ポイントからのメッセージをモニタするためにアイドル状態に定期的に移行する。
【０００５】
ある種の無線通信システムは、高速（quick）ページング・チャネルを組み込み、それはアクセス端末へのページング・メッセージの存在を示すためにアクセス・ポイントによって使用される。ページング・メッセージは、特定のアクセス端末がアクティブな情報交換をサポートするためにアクティブ状態に移行することを指示することができる。
【０００６】
無線通信システムは、特定のメッセージ中の特定のビットを特定のアクセス端末又はアクセス端末のグループに対する高速ページング・ビットとして割り当てることができる。アクセス端末は、そのように高速ページング・ビットを受信するために十分な期間のあいだスリープ状態から目覚めることができる。アクセス端末がアクティブな高速ページング・ビットを検出する場合、アクセス端末は、引き続くページング・メッセージを意識するようになり、そしてそのページング・メッセージをモニタするためにアイドル状態に留まることができる又は移行することができる。逆に、アクセス端末が自身に割り当てられた高速ページング・ビットを検出することに失敗する場合、自身に宛てられた差し迫ったページング・メッセージがないと見なす。このようにして、アクセス端末は、それがアイドル・モードにいる必要がある時間を最小にすることができ、それによってより低い電力のスリープ状態に充てられることができる時間を最大にする。
【０００７】
例えば、ＣＤＭＡ２０００無線通信システム及びＷＣＤＭＡ無線通信システムの両者は、高速ページング・チャネルを有し、それは移動局がページングの存在を検出するために割り当てられた高速ページング・ビットを定期的にモニタすることを可能にする。ページングが移動局に送られるとき、基地局は対応するビットを１に設定する。そのビットが設定される場合、アクセス端末を表す移動局は、全部のページングを聞く。しかしながら、アクセス端末が０であると誤って検出する場合、又は受信したビットの状態を見分けることができないことを示しているイレイジュア（erasure）を判断する場合、ページングの失敗が生じる。したがって、ページング失敗の確率を減少させる必要がある。しかしながら、移動デバイスに対して電池電源での稼働時間を維持する又は増加させる必要が残されている。
【発明の概要】
【０００８】
ランダム接続無線通信システムにおける高速ページング・チャネルは、高速ページング・フレーム中に少なくとも１ビットを含み、アクセス端末又はアクセス端末のグループに対するページング・メッセージの存在を認識する。第１のアクセス端末に対するページング・メッセージの存在を識別する高速ページング・ビットは、１又はそれより多くの別のアクセス端末に対応する１又はそれより多くの高速ページング・ビットとともにエンコードされて、１又はそれより多くの順方向誤り訂正ビットを生成する。一緒にエンコードされる高速ページング・ビットは、追加の情報のフレームと高速ページング・フレームとを時分割多重化することによって複数のアクセス端末に同報通信される。
【０００９】
本明細書の態様は、アクセス端末に通知する方法を含む。本方法は、該アクセス端末に対してスケジュールされるメッセージの存在を判断すること、高速ページング・ブロック中の複数の高速ページング・ビットから１つの高速ページング・ビットを設定すること、ここにおいて、該高速ページング・ビットは該アクセス端末に対応する、エンコードされた高速ページング・パケットを生成するために該高速ページング・ブロックをエンコードすること、該エンコードされた高速ページング・ブロックの少なくとも一部分を有する少なくとも１つの直交周波数分割多重化（ＯＦＤＭ）シンボルを生成すること、及び該少なくとも１つのＯＦＤＭシンボルを送信すること、を含む。
【００１０】
本明細書の態様は、アクセス端末に通知する方法を含む。本方法は、複数のアクセス端末に対応する複数のビットを有する高速ページング・ブロック中に該アクセス端末に対応する１つの高速ページング・ビットを設定すること、圧縮された高速ページング・ブロックを生成するために該高速ページング・ブロックを圧縮すること、及びエンコードされた高速ページング・ブロックを生成するために該圧縮された高速ページング・ブロックをエンコードすること、を含む。
【００１１】
本明細書の態様は、高速ページング・メッセージを処理する方法を含む。本方法は、高速ページング・パケットを受信すること、高速ページング・ブロックを生成するために該高速ページング・パケットをデコードすること、該高速ページング・ブロックを逆圧縮すること、及び該逆圧縮プロセスの出力に基づいてアクセス端末に関係付けられた高速ページング・ビットのステータスを判断すること、を含む。
【００１２】
本明細書の態様は、高速ページング・メッセージを生成するためのシステムを含み、それは、アクセス端末に対してスケジュールされたページング・メッセージを判断するために構成されたスケジューラ、該スケジューラに接続され、そして該アクセス端末に対応する高速ページング・ビットをアサートするために構成され且つ少なくとも該高速ページング・ビットと別個のアクセス端末に対応する別個の高速ページング・ビットとを有する高速ページング・ブロックを生成するために構成された高速ページング・ブロック生成器、該高速ページング・ブロック生成器に接続され、そして該高速ページング・ブロックに基づいてエンコードされた高速ページング・パケットを生成するために構成されたエンコーダ、及び該エンコーダに接続され、そして該エンコードされた高速ページング・パケットの少なくとも一部分を有する少なくとも１つの直交周波数分割多重化（ＯＦＤＭ）シンボルを生成するために構成された送信プロセッサ、を含む。
【００１３】
本明細書の態様は、高速ページング・メッセージを生成するためのシステムを含み、それは、アクセス端末に対してスケジュールされたメッセージの存在を判断するための手段、高速ページング・ブロック中の複数の高速ページング・ビットから１つの高速ページング・ビットを設定するための手段、ここにおいて、該高速ページング・ビットは該アクセス端末に対応する、エンコードされた高速ページング・パケットを生成するために該高速ページング・ブロックをエンコードするための手段、該エンコードされた高速ページング・ブロックの少なくとも一部分を有する少なくとも１つの直交周波数分割多重化（ＯＦＤＭ）シンボルを生成するための手段、及び該少なくとも１つのＯＦＤＭシンボルを送信するための手段、を含む。
【００１４】
本明細書の態様は、高速ページング・メッセージを生成するためのシステムを含み、それは、該アクセス端末に対応する高速ページング・ビットを設定するための手段、エンコードされた高速ページング・ブロックを生成するために別のアクセス端末に対応する少なくとも１つの追加の高速ページング・ビットとともに該高速ページング・ビットを一緒にエンコードするための手段、及びチャネルを介して別の情報と該エンコードされた高速ページング・ブロックとを時分割多重化するための手段、を含む。
【００１５】
本明細書の態様は、高速ページング・メッセージを生成するためのシステムを含み、それは、高速ページング・パケットを受信するための手段、高速ページング・ブロックを生成するために該高速ページング・パケットをデコードするための手段、該高速ページング・ブロックを逆圧縮するための手段、及び該逆圧縮プロセスの出力に基づいてアクセス端末に関係付けられた高速ページング・ビットのステータスを判断するための手段、を含む。
【詳細な説明】
【００１６】
本明細書の実施形態の特徴、目的、及び利点は、図面を使用して以下に述べる詳細な説明から、さらに明確になるであろう。図面では、同じ要素は、同じ参照符号を持つ。
【００１７】
無線通信システムは、高速（quick）ページング・ビットに関係するある形の冗長性を与えることによってページング失敗の確率を減少させることができる。各アクセス端末に割り当てられる高速ページング・ビットの数を単純に拡大するよりはむしろ、無線通信システムは、複数の高速ページング・ビットを一緒にエンコードすることを通して冗長性を与える。このようにして、各アクセス端末又はアクセス端末のグループは、１つの高速ページング・ビットを割り当てられるが、冗長性は、複数の高速ページング・ビットを一緒にエンコードすることを通して与えられる。無線通信システムは、冗長ビットの数を増加することによってページング・メッセージが失われる確率を減少させることができ、冗長ビットは順方向誤り訂正ビットであり得る。一緒にエンコードする処理から追加されることができる冗長ビットの数に対する理論的な制限がない。しかしながら、実際的な観点から、冗長ビットの数は、実際にページング・メッセージを送るために必要なビット数よりもおそらく少ない。
【００１８】
無線通信システムは、一緒にエンコードされた高速ページング・メッセージを有する高速ページング・ブロックを定期的に送信することができる。各高速ページング・ブロック中に設定される高速ページング・ビットの数は、おそらくかなり少なく、与えられた無線通信システムは、十分に速い速度で高速ページング・ブロックをスケジュールする。いずれかの特定の高速ページング・フレーム中に設定された高速ページング・ビットの比較的まばらな密度は、アクセス端末に送信されるビット数をその無線通信システムがさらに減少させることを可能にする。無線通信システムは、さまざまな圧縮技術のうちのいずれか１つ、下記にさらに詳細に説明されるもののうちの少なくとも１つ、を実装することができる。
【００１９】
一緒にエンコードされた高速ページング・ビットを有する高速ページング・チャネルは、専用高速ページング・チャネルを使用して様々なアクセス端末に送信されることができる。あるいは、高速ページング・チャネルは、別のチャネルと多重化されることができる。例えば、高速ページング・チャネルは、時分割多重化される、周波数分割多重化される、符号分割多重化される、又はそうでなければ他の情報と多重化されることができる。
【００２０】
直交周波数分割多重化（ＯＦＤＭ：Orthogonal Frequency Division Multiplex）無線通信システムでは、高速ページング・ブロック、又は圧縮された高速ページング・ブロックは、予め決められた数のＯＦＤＭシンボルに同報通信されるように構成されることができる。無線通信システムは、高速ページング情報を有するＯＦＤＭシンボルを定期的に送信することができる。そのように、システムは、他の情報を搬送するために使用するチャネルを介して高速ページング情報を時分割多重化するように動作する。
【００２１】
図１は、多元接続無線通信システム１００の１つの実施形態の単純化した機能的ブロック図である。多元接続無線通信システム１００は、複数のセル、例えば、セル１０２，１０４及び１０６を含む。図１の実施形態では、各セル１０２，１０４及び１０６は、複数のセクタを含むアクセス・ポイント１５０を含むことができる。
【００２２】
複数のセクタは、複数のアンテナのグループによって形成され、各アンテナはセルの一部にあるアクセス端末と通信する責任能力がある。セル１０２において、アンテナ・グループ１１２，１１４と１１６は、それぞれ異なるセクタに対応する。例えば、セル１０２は、３つのセクタ、１２０ａ−１０２ｃ、へと分割される。第１のアンテナ１１２は、第１のセクタ１０２ａを取り扱い、第２のアンテナ１１４は、第２のセクタ１０２ｂを取り扱い、そして第３のアンテナ１１６は、第３のセクタ１０２ｃを取り扱う。セル１０４にでは、アンテナ・グループ１１８，１２０と１２２は、それぞれ異なるセクタに対応する。セル１０６では、アンテナ・グループ１２４，１２６と１２８は、それぞれ異なるセクタに対応する。
【００２３】
各セルは、複数のアクセス端末をサポートする又はそうでなければ取り扱うために構成され、アクセス端末は対応するアクセス・ポイントの１又はそれより多くのセクタと通信する。例えば、アクセス端末１３０と１３２は、アクセス・ポイント１４２と通信しており、アクセス端末１３４と１３６は、アクセス・ポイント１４４と通信しており、アクセス端末１３８と１４０は、アクセス・ポイント１４６と通信している。それぞれのアクセス・ポイント１４２，１４４と１４６が２つのアクセス端末と通信しているように示されているとはいえ、各アクセス・ポイント１４２，１４４と１４６は、２つのアクセス端末と通信するように限定されない、そしてある限界までの任意の数のアクセス端末をサポートすることができ、その限界は、物理的な限界、又は通信規格により課せられる限界であり得る。
【００２４】
本明細書中で使用されるように、アクセス・ポイントは、端末と通信するために使用する固定局であることができ、そしてしかも、基地局、ノードＢ、又はある別の用語で呼ばれることができ、そしてその機能のあるもの又は全てを含むことができる。アクセス端末（ＡＴ：access terminal）は、同様に、ユーザ装置（ＵＥ：user equipment）、ユーザ端末、無線通信デバイス、端末、移動体端末、移動局、又はある別の用語で呼ばれることができ、そしてその機能のあるもの又は全てを含むことができる。
【００２５】
図１から、各アクセス端末１３０，１３２，１３４，１３６，１３８と１４０が同じセル内の別の各端末とはそれぞれのセルの異なる場所に位置することが、理解される。さらに、各アクセス端末は、それが通信している対応するアンテナ・グループから異なる距離であり得る。これらの両方の要因は、セル内の環境及び他の状態に加えて、各アクセス端末とそれが通信しているその対応するアンテナ・グループとの間に存在する異なるチャネル状態を生じさせる状況を与える。
【００２６】
各アクセス端末、例えば、１３０は、変化するチャネル状態のために、いずれの他のアクセス端末によっても経験されない固有のチャネル特性を一般的に経験する。その上、チャネル特性は、時間とともに変わり、そして場所が変わることにより変化する。
【００２７】
アクセス・ポイント、例えば、１４２は、高速ページング情報を有するフレーム又はブロックを同報通信することができる。アクセス・ポイント１４２の交信可能区域内のアクセス端末１３０及び１３２の各々は、高速ページング情報を受信することができ、そしてその端末に割り当てられた高速ページング・ビットがアクティブであり、そのアクセス端末に宛てられたページング・メッセージの存在を示しているかどうかを決定するためにその高速ページング情報を処理することができる。
【００２８】
アクセス端末１３０と１３２とによって経験されるチャネル状態を異ならせることは、高速ページング情報を正確に再生するためのそれぞれの能力を変える。しかしながら、高速ページング情報が冗長情報、例えば、１又はそれより多くの順方向誤り訂正ビット、を与えるようにエンコードされるために、アクセス端末１３０及び１３２は、割り当てられた高速ページング・ビットを良好に判断するさらに大きな確率を有し、それによってそのアクセス端末へのページング失敗の確率を最小にする。
【００２９】
無線通信システム１００は、他の情報のために使用される同じチャネルを介して高速ページング情報を多重化することができる。例えば、ＯＦＤＭシステムにおいて、無線通信システム１００は、サブキャリア周波数のあるもの又はその全てを使用して１つのチャネルを介して高速ページング情報を同報通信することができる。高速ページング情報を搬送するために使用するサブキャリア周波数は、別の情報をアクセス端末に搬送するために使用する同じサブキャリアであり得る。このようにして、無線通信システム１００は、高速ページング・チャネルをシステムの別のチャネルと時分割多重化することができる。
【００３０】
上記の実施形態は、図２に示されるように、送信（ＴＸ）プロセッサ２２０又は２６０、プロセッサ２３０又は２７０、及びメモリ２３２又は２７２を利用して与えられることができる。プロセスは、任意のプロセッサ、コントローラ、又は他の処理デバイス上で実行されることができ、そしてソース・コード、オブジェクト・コード、又はその他としてコンピュータ読み取り可能な媒体中にコンピュータ読み取り可能な命令として記憶されることができる。
【００３１】
図２は、多元接続無線通信システム２００における送信機及び受信機の１つの実施形態の単純化した機能的ブロック図である。送信機システム２１０において、複数のデータ・ストリームに対するトラフィック・データは、データ・ソース２１２から送信（ＴＸ）データ・プロセッサ２１４に与えられる。１つの実施形態では、各データ・ストリームは、それぞれの送信アンテナを経由して送信される。ＴＸデータ・プロセッサ２１４は、コード化されたデータを与えるためにそのデータ・ストリームに対して選択された特定のコーディング方式に基づいて各データ・ストリームに対するトラフィック・データをフォーマット化し、コード化し、そしてインターリーブする。ある複数の実施形態では、ＴＸデータ・プロセッサ２１４は、そのシンボルがそこに送信されようとしているユーザ、及びそのシンボルがそこから送信されようとしているアンテナに基づいてデータ・ストリームのそのシンボルにビームフォーミング加重を適用する。ある複数の実施形態では、ビームフォーミング加重は、チャネル応答情報に基づいて生成されることができ、そのチャネル応答情報はアクセス・ポイントとアクセス端末との間の伝送パスの状態を示している。チャネル応答情報は、ユーザにより提供されるＣＱＩ情報またはチャネル推定値を利用して生成されることができる。さらに、スケジュールされた送信のそれらのケースでは、ＴＸデータ・プロセッサ２１４は、ユーザから送信されるランク情報に基づいてパケット・フォーマットを選択することができる。
【００３２】
各データ・ストリームに対するコード化されたデータは、ＯＦＤＭ技術を使用してパイロット・データと多重化されることができる。パイロット・データは、一般的に公知のデータ・パターンであり、そのパターンは公知の方法で処理され、そしてチャネル応答を推定するために受信機システムにおいて使用されることができる。各データ・ストリームに対する多重化されたパイロット・データ及びコード化されたデータは、次に、そのデータ・ストリームに対して選択された特定の変調方式（例えば、ＢＰＳＫ，ＱＰＳＫ，Ｍ−ＰＳＫ，又はＭ−ＱＡＭ）に基づいて変調されて（すなわち、シンボル・マッピングされて）、変調シンボルを与える。各データ・ストリームに対するデータ・レート、コーディング、及び変調は、プロセッサ２３０によって与えられる命令によって決定されることができる。ある複数の実施形態では、並列空間ストリームの数は、ユーザから送信されるランク情報にしたがって変化させることができる。
【００３３】
全てのデータ・ストリームに対する変調シンボルは、次に、ＴＸ  ＭＩＭＯプロセッサ２２０に与えられ、それは（例えば、ＯＦＤＭに対する）変調シンボルをさらに処理することができる。ＴＸ  ＭＩＭＯプロセッサ２２０は、次に、ＮＴ個の送信機（ＴＭＴＲ）２２２ａから２２２ｔにＮＴ個のシンボル・ストリームを与える。ある種の実施形態では、ＴＸ  ＭＩＭＯプロセッサ２２０は、シンボルがそれに送信されようとしているユーザ及びシンボルがそのユーザのチャネル応答情報をそこから送信しようとしているアンテナに基づいて、データ・ストリームのシンボルにビームフォーミング加重を適用する。
【００３４】
各送信機２２２ａから２２２ｔは、それぞれのシンボル・ストリームを受け取りそして処理して、１又はそれより多くのアナログ信号を与え、そしてそのアナログ信号をさらに調整して（例えば、増幅し、フィルタし、そしてアップコンバートして）ＭＩＭＯチャネルを経由した送信のために適した変調された信号を与える。送信機２２２ａから２２２ｔからのＮＴ個の変調された信号は、次に、それぞれＮＴ個のアンテナ２２４ａから２２４ｔから送信される。
【００３５】
受信機システム２５０において、伝送された変調シンボルは、ＮＲ個のアンテナ２５２ａから２５２ｒによって受信され、そして各アンテナ２５２からの受信信号は、それぞれの受信機（ＲＣＶＲ）２５４に与えられる。各受信機２５４は、それぞれの受信信号を調整し（例えば、フィルタし、増幅し、そしてダウンコンバートし）、その調整された信号をディジタル化してサンプルを与え、そしてそのサンプルをさらに処理して対応する“受信した”シンボル・ストリームを与える。
【００３６】
ＲＸデータ・プロセッサ２６０は、次に、ＮＲ個の受信機２５４からＮＲ個の受信したシンボル・ストリームを受け取り、特定の受信機処理技術に基づいて処理して“検出した”シンボル・ストリームのランク数を与える。ＲＸデータ・プロセッサ２６０による処理は、下記にさらに詳細に説明される。各検出されたシンボル・ストリームは、対応するデータ・ストリームに対して伝送された変調シンボルの推定値であるシンボルを含む。ＲＸデータ・プロセッサ２６０は、次に、各検出されたシンボル・ストリームを復調し、デインターリーブし、そしてデコードして、そのデータ・ストリームに対するトラフィック・データを再生する。ＲＸデータ・プロセッサ２６０による処理は、送信機システム２１０においてＴＸ  ＭＩＭＯプロセッサ２２０及びＴＸデータ・プロセッサ２１４により実行されるものに相補的である。
【００３７】
ＲＸプロセッサ２６０によって生成されるチャネル応答推定値は、受信機において空間処理、空間／時間処理を実行するために、出力レベルを調節するために、変調レート又は変調方式を変更するために、又は他の動作のために使用されることができる。ＲＸプロセッサ２６０は、検出されたシンボル・ストリームの信号対ノイズ及び干渉比（ＳＮＲ：signal-to-noise-sand-interference ratio）を、そしておそらく他のチャネル特性をさらに推定することができ、そしてこれらの量をプロセッサ２７０に与える。ＲＸデータ・プロセッサ２６０又はプロセッサ２７０は、そのシステムに対する“実効”ＳＮＲの推定値をさらに導出することができる。プロセッサ２７０は、次に、推定されたチャネル情報、例えば、チャネル品質インデックス（ＣＱＩ：Channel Quality Index）、を与え、それは通信リンク及び／又は受信データ・ストリームに関する様々なタイプの情報を含むことができる。例えば、ＣＱＩは、動作上のＳＮＲだけを備えることができる。ＣＱＩは、次にＴＸデータ・プロセッサ２７８によって処理され、変調器２８０によって変調され、受信機２５４ａから２５４ｒによって調整され、そして送信機システム２１０に送信して戻される。ＴＸデータ・プロセッサ２７８は、しかもデータ・ソース２７６からの複数のデータ・ストリームに対するトラフィック・データも受け取る。
【００３８】
送信機システム２１０において、受信機システム２５０からの変調された信号は、アンテナ２２４によって受信され、送信機２２２によって調整され、復調器２４０によって復調され、そしてＲＸデータ・プロセッサ２４２によって処理されて、受信機システムにより伝達されるＣＱＩを再生する。伝達されたＣＱＩは、次にプロセッサ２３０に与えられ、そして（１）データ・ストリームに対して使用されるべきデータ・レート及びコーディング方式と変調方式を決定するために、そして（２）ＴＸデータ・プロセッサ２１４及びＴＸ  ＭＩＭＯプロセッサ２２０についての様々な制御を生成するために、使用される。
【００３９】
受信機において、様々な処理技術がＮＲ個の受信した信号を処理するために使用されることができて、ＮＴ個の伝送されたシンボル・ストリームを検出することができる。これらの受信機処理技術は、２つの基本的なカテゴリーへと分類されることができ、それは（ｉ）空間及び空間−時間受信機処理技術（それは同様に量子化技術とも呼ばれる）；及び（ｉｉ）“逐次ヌリング／量子化及び干渉除去”受信機処理技術（それは同様に“逐次干渉除去”又は“逐次除去”受信機処理技術とも呼ばれる）である。
【００４０】
ＮＴ個の送信アンテナとＮＲ個の受信アンテナによって形成されるＭＩＭＯチャネルは、ＮＳ個の独立したチャネル、ＮＳ≦ｍｉｎ｛ＮＴ，ＮＳ｝、へと分解されることができる。ＮＳ個の独立したチャネルの各々は、しかもＭＩＭＯチャネルの空間サブチャネル（すなわち、伝送チャネル）とも呼ばれることができ、そして大きさ（dimension）に対応する。
【００４１】
図２の多元接続無線通信システム２００において、ＴＸデータ・プロセッサ２１４は、プロセッサ２３０とメモリ２３２との組み合わせで、交信可能区域内の受信機システム２５０に対応する様々な高速ページング・ビットの状態を判断するために動作することができる。ＴＸデータ・プロセッサ２１４は、高速ページング・ビットをエンコードし、そして１又はそれより多くの冗長ビットを生成するために構成されることができ、その冗長ビットは順方向誤り訂正ビットであり得る。誤り訂正ビットは、例えば、パリティ・ビット、巡回冗長コード（ＣＲＣ：Cyclic Redundancy Code）、又はある種の別のタイプのビットであり得る。エンコーディングは、体系的なエンコーディングであり得るし、又は非体系的なエンコーディングであり得る。
【００４２】
各受信機システム２５０は、エンコードされた高速ページング情報を受信するように、そして対応する高速ページング・ビットを再生するように動作することができる。ＲＸプロセッサ２６０は、プロセッサ２７０及びメモリ２７２との組み合わせで、その高速ページング情報をデコードすることができ、そして自身の割り当てられた高速ページング・ビットがアクティブ状態に設定されているかどうかを判断することができる。受信機システム２５０は、デコーディング・プロセスを介して高速ページング情報中のある種の誤りを検出することができる又は訂正することができ、そしてそれによって、不適切なデコーディング又は割り当てられた高速ページング・ビットのイレイジュアに起因するページング失敗の確率を低減する。
【００４３】
図３は、エンコードされた高速ページング・チャネルを与えるために構成された送信機３００の１つの実施形態の単純化した機能的ブロック図である。送信機３００は、例えば、図２の送信機システムの一部分、又は図１に示されたアクセス・ポイントの一部分であり得る。送信機３００は、図１の多元接続無線通信システムの内部に実装されることができ、アクセス端末が高速ページング・ブロックの失われた部分又はそうでなければ再生されなかった部分を通してスケジュールされたページング・メッセージを受け損なうであろう確率を最小にすることができる。
【００４４】
図３の単純化した機能的ブロック図は、高速ページング・チャネル（ＱＰＣＨ）に関係する送信機システムの一部分だけを図示する。その単純化した機能的ブロック図は、アクティブな高速ページング・ビットに関係付けられるページング・メッセージを生成すること又はマッピングすることに関係するもののような関連するブロックを示していない。
【００４５】
図３の送信機３００の実施形態は、スケジューラ３０４に接続されたタイミング及び同期モジュール３０２を含む。スケジューラ３０４は、高速ページング・ブロック生成器３１０に接続され、そして高速ページング・ブロックの生成を開始させる。高速ページング・ブロック生成器３１０は、高速ページング・ブロック圧縮モジュール３１２にオプションとして接続され、それは圧縮された高速ページング・ブロックを生成することを含むことができる。高速ページング・ブロック圧縮モジュール３１２は、統合器（aggregator）３３０に接続され、それは結合器（combiner）であり得る。負荷制御ブロック・モジュール３２０は、１又はそれより多くの負荷制御ビットを生成する。負荷制御ブロック・モジュール３２０の出力は、統合器３３０につなげられる。統合器３３０は、高速ページング・ブロックが圧縮されているかどうかに応じて、高速ページング・ブロック又は圧縮された高速ページング・ブロックに負荷制御ビットを添付する。
【００４６】
統合器３３０は、結合された高速ページング・ビットと負荷制御ビットとをエンコーダ３４０につなげる。エンコーダ３４０は、そのビットをエンコードするように動作する。エンコードされた出力は、ＴＸ  ＭＩＭＯプロセッサ２２０につなげられる。ＴＸ  ＭＩＭＯプロセッサ２２０は、送信機段２２２に信号をつなげ、その送信機段はアンテナ２２４を使用してその信号を送信する。
【００４７】
図３の送信機３００の実施形態は、タイミング及び同期モジュール３０２を含み、それは送信機３００によって生成されたビット、フレーム、ブロック、又はパケットのタイミングを追跡する。１つの実施形態では、タイミング及び同期モジュール３０２は、ビット同期を維持し、その結果、送信機３００により生成されたビットは実質的に同じ期間を有する。タイミング及び同期モジュール３０２は、しかもフレーム・タイミングを同期させることができそして追跡することができる、そこでは各フレームは、予め決められた数のビットを含む。ＯＦＤＭシステムにおいて、少なくとも１つのＯＦＤＭシンボルに対する情報を含むことは、各フレームにとって都合が良いことがある。
【００４８】
スーパーフレームは、予め決められた数のフレームを含むことができる。それに加えて、スーパーフレーム内の特定のフレームは、特定の情報のために取り分けられることができる。例えば、各スーパーフレームは、予め決められた長さ、例えば、６フレーム又は６ＯＦＤＭシンボル、のプリアンブルを含むことができる。
【００４９】
スーパーフレーム・プリアンブルは、あるアクセス・ポイントの交信可能区域内の全てのアクセス端末に送信される同報通信チャネルを配置するために使用されることができる。スーパーフレーム・プリアンブルの一部分は、高速ページング・チャネル（ＱＰＣＨ）に割り当てられることができる。例えば、ＱＰＣＨパケットは、スーパーフレーム・プリアンブル内の１フレーム又は１ＯＦＤＭシンボルであり得る。スーパーフレーム・プリアンブルの長さとＱＰＣＨパケットに割り当てられたビット数は、その高速ページング・ブロックに割り当てられた情報ブロックの大きさに基づいて変化することがある。
【００５０】
１つの実施形態では、ＱＰＣＨパケットに割り当てられたビット数は、変わらない。別の１つの実施形態では、ＱＰＣＨパケットに割り当てられたビット数は、絶えず変化し、そしてアクティブな高速ページング・ビット数に少なくとも一部は基づいて決定される。ＱＰＣＨパケットに割り当てられたビット数が絶えず変化する場合には、送信機３００は、ＱＰＣＨパケット長の予め決められた集合のうちの１つのビット数を割り当てることができる。あるいは、送信機３００は、予め決められた範囲内の又は１ビットずつの増加でＱＰＣＨパケットに任意のビット数を割り当てるように構成されることができる。
【００５１】
送信機３００は、ＱＰＣＨパケット内の又はある別のメッセージ内のＱＰＣＨパケットの大きさ又は高速ページング・ブロックの大きさを送るように構成されることができる。別の１つの実施形態では、送信機３００は、ＱＰＣＨパケットの大きさを送らず、そしてパケットの大きさを決めることを受信機に委ねる。
【００５２】
タイミング及び同期モジュールは、スケジューラ３０４に接続される。スケジューラ３０４は、通信リンク及び送信機３００によって送信されようとしている情報を追跡し、そして一部はシステム・タイミングに基づいて情報をスケジュールする。１つの実施形態では、スケジューラ３０４は、無線通信システムが現在アイドル状態であるアクセス端末とアクティブな通信セッションを設定するように試みていることを判断する。
【００５３】
無線通信システムは、送信機３００を介してアクセス端末にページング・メッセージを送る。それに加えて、無線通信システムは、アクセス端末に又は所望のアクセス端末が構成員であるアクセス端末のグループに割り当てられる１又はそれより多くの高速ページング・ビットを設定する。
【００５４】
任意の数の高速ページング・ビットが各アクセス端末に割り当てられることができるとはいえ、一般的に１ビットだけが各アクセス端末又はアクセス端末のグループに割り当てられる。例えば、高速ページング・ブロックは、予め決められた数の高速ページング・ビットを有するように規定されることができ、そしてアクセス・ポイントの交信可能区域内の特定のアクセス端末は、高速ページング・ブロック中のｎ番目の高速ページング・ビットに割り当てられることができる。
【００５５】
説明が特定の交信可能区域内の１つのアクセス端末に関係付けられる１つの高速ページング・ビットに対して主に向けられているとはいえ、無線通信システムは、１つのアクセス端末に任意の数の高速ページング・ビットを割り当てることができる。アクティブ・ハイであるかアクティブ・ローであるかに拘らず、高速ページング・ビットの集合は、関係するアクセス端末に引き続くページング・チャネルがそのアクセス端末に向けられていることを示す。
【００５６】
上に記述されたように、高速ページング・ビットは、１つのアクセス端末に又はアクセス端末の１つのグループに関係付けられることができる。高速ページング・ビットがアサートされるとき、又はそうでなければアクティブ状態に設定されるとき、その高速ページング・ビットに関係する１又はそれより多くのアクセス端末は、その高速ページング・ビットに関係する少なくとも１つのアクセス端末がページング・メッセージを予期することができることを理解する。無線通信システムは、アクセス端末のグループにページング・ビットを割り当てることができて、高速ページング・ビットの全数そしてそれゆえ高速ページング・ブロックの長さを最小にすることができる。
【００５７】
高速ページング・ブロック生成器３１０は、スケジューラ３０４からどの高速ページング・ビットをアサートするかを判断する。１つの例では、高速ページング・ブロック生成器は、一般的にページング・メッセージを送信する次の機会に、ページング・メッセージを予期することができるアクセスに関係する各高速ページング・ビットを“１”に設定する。
【００５８】
高速ページング・ブロック生成器３１０は、適切にアサートされた高速ページング・ビットを有する高速ページング・ブロックをオプションの高速ページング・ブロック圧縮モジュール３１２につなげる。高速ページング・ブロック圧縮モジュール３１２は、アサートされた高速ページング・ビットを表示するために必要なビット数を削減するように動作する。
【００５９】
高速ページング・ブロック圧縮モジュール３１２は、仮想的に任意の圧縮技術を実行することができる。圧縮技術は、１又はそれより多くの圧縮アルゴリズムを実行することができ、そのアルゴリズムは、アサートされる高速ページング・ビットの数、高速ページング・ブロック中の高速ページング・ビットの位置、又はそのある組み合わせに応じて、高速ページング・ブロックの損失のない圧縮、損失のある圧縮、若しくは損失のない圧縮又は損失のある圧縮のある組み合わせを生成することができる。
【００６０】
高速ページング・ブロック圧縮モジュール３１２は、長さＮＱＰ＿ＢＬＫの高速ページング・ブロックを圧縮して長さＮＱＰ＿ＭＳＧ＿ＣＯＭＰの圧縮された高速ページング・ブロックを生成する。１つの実施形態では、圧縮された高速ページング・ブロックの長さは、変えることができ、そして集合を表している１の数に応じて、又はそうでなければ高速ページング・ブロック中のアサートされたビットに応じて３個の可能な長さのうちの１つであり得る。
【００６１】
１つの実施形態では、高速ページング・ブロック圧縮モジュール３１２は、高速ページング・ブロック中の各設定されたビットの位置を連続的に示すことによって圧縮された高速ページング・ブロックを生成する。高速ページング・ブロック圧縮モジュール３１２は、
【数１】
2011151818.tif 000003
【００６２】
ビット・フィールドを用いてその位置を表示することができる、ここで、フィールドの値は、設定されたビットの位置を示す。高速ページング・ブロック圧縮モジュール３１２は、同様に、特別のケースを表すビット位置フィールドのために１又はそれより多くの値を確保することができる。例えば、０の値は、高速ページング・ブロック中にアサートされるさらなるビットがないことを示す。それに加えて、２＾（ＮＱＰ＿ＢＬＫ＿ＣＯＭＰ）−１の値は、高速ページング・ビットのある予め決められた数、例えば、５ビット、が高速ページング・ブロック中に設定されることを示す。
【００６３】
そのように、この実施形態では、高速ページング・ブロック中の固有ビットの総数は、２個の予備値を考慮してＮＱＰ＿ＢＬＫ−２に制限される。許されるビット位置は、ほぼ１からＮＱＰ＿ＢＬＫ−２の範囲であり得る。もし、予め決められた数のビット、例えば、５ビット、よりも多くが高速ページング・ブロック中に設定されるのであれば、アクセス・ネットワークは、全てが１に設定されたビットを有するとしてそのメッセージを判断することができ、そして対応する予備ビットを有する１つのフィールドを送信することができる。１つの実施形態では、高速ページング・ブロック圧縮モジュール３１２は、ページングの数又は高速ページング・ブロックに含まれるビット数を示すいかなるフィールドも高速ページング・ブロック中に含まない。その代わりに、送信機３００は、ページングの数及び高速ページング・ブロック中のビット数を受信機が決定することを当てにすることができる。例えば、受信機は、複数の仮定を試験することができ、そしてそれによって、高速ページング・ブロック中のビット数を決定する。別の１つの実施形態では、高速ページング・ブロック圧縮モジュール３１２は、高速ページングの数又は圧縮された高速ページング・ブロック中のビット数を示しているフィールドを含むことができる。受信機は、圧縮された高速ページング・ブロックから適切なフィールドを抽出することによって高速ページングの数又は高速ページング・ビットの数を決定する。
【００６４】
表１は、高速ページングの数を示しているフィールドを含まない実施形態について高速ページング・ブロック中に設定されたビット数の関数として圧縮された高速ページング・ブロックの大きさを示す。
【表１】
2011151818.tif 000004
【００６５】
高速ページング・ブロック圧縮モジュール３１２の出力は、統合器３３０につなげられる。高速ページング・ブロック圧縮モジュール３１２が省略される実施形態では、高速ページング・ブロック生成器３１０からの高速ページング・ブロックは、統合器３３０につなげられる。
【００６６】
負荷制御ブロック・モジュール３２０は、１又はそれより多くのビットを有する負荷制御ブロックを生成する。１つの実施形態では、負荷制御ブロックは、長さがＮＬＣ＿ＢＬＫビットであり、そしてアクセス・ネットワークによって設定される。負荷制御ブロックは、いずれかの追加情報を表すことができ、その追加情報は高速ページング・チャネル情報の一部として１又はそれより多くのアクセス端末に向けられる。負荷制御情報は、仮想的に任意のタイプの情報であり得る。例えば、負荷制御情報は、高速ページング情報をアクセすることを認められるアクセス端末のクラスを指示することができる。あるいは、負荷制御情報は、高速ページング情報がそこから適用可能であるアクセス端末のクラスを指示することができる。負荷制御ブロック情報によって指示されるクラスに属さないアクセス端末は、メッセージを無視することができる。
【００６７】
統合器３３０は、負荷制御ブロックと圧縮された高速ページング・ブロック又は高速ページング・ブロックとを連結するように動作する。この実施形態では、ＱＰＣＨパケットは、２つの情報ブロック：高速ページング・ブロックと負荷制御ブロック、を搬送する。統合器３３０は、高速ページング・ブロック又は圧縮された高速ページング・ブロックの終わりに負荷制御ブロックを付け加えることができる。
【００６８】
統合器３３０は、連結された高速ページング・ブロックと負荷制御ブロックをエンコーダ３４０につなげる。エンコーダ３４０は、この連結された情報をエンコードするように動作する。エンコーダ３４０は、仮想的に任意のタイプのエンコーディングを実行することができ、そして例えば、体系的なエンコーディング、ブロック・コーディング、畳み込みエンコーディング、ターボ・エンコーディング、及びその他、又はこれらのある組み合わせを実行することができる。エンコーダ３４０の出力は、高速ページング・パケットを表す。
【００６９】
ＱＰＣＨパケットは、いずれか１つの又は複数の技術を使用してエンコードされ、チャネル・インターリーブされ、繰り返され、データ−スクランブルされ、そして変調されることができる。１つの実施形態では、０のＭＡＣＩＤ及び０のパケット・フォーマットは、スクランブラ（図示されず）の初期状態を生成するために使用されることができる。
【００７０】
１つの実施形態では、エンコーダ３４０は、体系的なコードを与える、その結果、冗長ビットが修正されていない連結された高速ページング・ブロックと負荷制御ブロックの最後に付け加えられる。体系的なコードは、例えば、巡回冗長コード（ＣＲＣ）、シンドローム、パリティ・ビット、又は冗長性のレベルを与えるある別のコード・ビットを生成することができる。
【００７１】
エンコーダ３４０は、エンコードされたＱＰＣＨパケットをＴＸ  ＭＩＭＯプロセッサ２２０につなげる。１つの実施形態では、ＴＸ  ＭＩＭＯプロセッサ２２０は、エンコードされたＱＰＣＨパケットを処理し、そして完全なＱＰＣＨパケット情報を有するＯＦＤＭシンボルを生成する。ＴＸ  ＭＩＭＯプロセッサ２２０は、全てのＯＦＤＭサブキャリア全体にわたり、又は全てのサブキャリアの予め決められた部分集合全体にわたりＱＰＣＨパケット情報を割り当てるＯＦＤＭシンボルを生成することができる。そのような実施形態では、ＱＰＣＨパケットを有するシンボルは、ＯＦＤＭシステム中の他のチャネルと時分割多重化される。
【００７２】
ある複数の実施形態では、ＴＸ  ＭＩＭＯプロセッサ２２０は、変調タイプの予め決められた集合のいずれか１つを使用してサブキャリア上へとＱＰＣＨパケットを変調することができることがある。１つの実施形態では、ＴＸ  ＭＩＭＯプロセッサ２２０は、ＱＰＣＨの全ての変調シンボルに対してＱＰＳＫ変調を使用する。別の実施形態では、ＴＸ  ＭＩＭＯプロセッサ２２０は、ＢＰＳＫのような、ある別のタイプの変調を使用することができる。
【００７３】
別の１つの実施形態では、ＱＰＣＨパケット情報は、論理チャネルに割り当てられ、それはＯＦＤＭシステム中の全てのサブキャリアよりも少ない数にマッピングされる。そのような実施形態では、論理チャネルから物理サブキャリアへのマッピングは、スタティックであることがあり、又はダイナミックであることがある。
【００７４】
多元接続無線通信システムが周波数ホッピング（ＦＨ：frequency hopping）を採用する場合、ＱＰＣＨは、論理チャネルとして指定され、時にはホップ・ポートと呼ばれ、そして論理チャネルは、予め決められた周波数ホッピング・アルゴリズムにしたがって物理チャネルにマッピングされることができる。そのように、周波数ホッピングＯＦＤＭＡシステムでは、論理チャネルに指定された物理サブキャリア周波数は、時間とともに変化する。例えば、周波数ホッピング・アルゴリズムは、論理チャネルから物理サブキャリアへのマッピングを定期的に、例えば、ＯＦＤＭシンボル毎に、スロット毎に、又はＯＦＤＭシンボルのある別の予め決められた数にしたがって、更新することができる。
【００７５】
ＴＸ  ＭＩＭＯプロセッサ２２０は、ＯＦＤＭシンボルを送信機段２２２につなげる。送信機段２２２は、アンテナ２２４を使用してＱＰＣＨパケットを含んでいるシンボルを送信する。
【００７６】
上に説明されたＱＰＣＨ実施形態では、送信機は、スーパーフレームのプリアンブル部分の間に生じるｎ個のＯＦＤＭシンボルでＱＰＣＨパケットを同報通信する。送信機は、交信可能区域内の全てのアクセス端末にＱＰＣＨパケットを同報通信する。
【００７７】
ＱＰＣＨシンボルをプリアンブル中で送信することによって、多数のアクセス端末は、同時に宛て先にされることができる。これは、例えば、ＱＰＣＨパケット中の各データ・ビットが別の移動体に宛てられることができるためである。１つのＯＦＤＭシンボルでのＱＰＣＨの送信は、同じＯＦＤＭシンボル中のそれら各自の高速ページング・ビットをモニタするために複数のアクセス端末を同時に目覚めさせることを可能にする。
【００７８】
さらに、１つのＴＤＭスロット中の全てのビットは、一緒にエンコードされ、そして強いＣＲＣを用いてエンコードされることができる、ここで、強いＣＲＣは、パケット中のいずれかの特定の高速ページング・ビットの良好な受信の高い確率を与える冗長コーディング・ビットを呼ぶ。これは、２つの利点を有する。第１に、一緒にエンコードすることによるコーディング・ゲインは、１つのビットを使用しては利用できない付加的なマージンを提供する。第２に、その強いＣＲＣのために、ページング失敗の確率が非常に低くなる。
【００７９】
図４は、一緒にエンコードされたＱＰＣＨパケットを処理するために構成された受信機４００の１つの実施形態の単純化した機能的ブロック図である。受信機４００は、図１のアクセス端末のそれぞれの一部分であり得て、そして図２の受信機システムの一部分であり得る。図４の単純化した機能的ブロック図は、ＱＰＣＨパケットを処理することに関係する受信機４００のその部分だけを図示する。受信機４００は、一般に他の処理モジュールを含む。
【００８０】
受信機４００は、送信機システムにおいて使用されたプロセスの大雑把に相補的なものを実行するように動作して、ＱＰＣＨパケットを生成する。受信機４００は、ＱＰＣＨパケットを含んでいるＯＦＤＭシンボルを受信し、そしてＱＰＣＨパケットを再生する。受信機４００は、冗長エンコーディング情報を使用して、高速ページング・ブロック及び負荷制御ブロック中の基礎となるビットが良好に再生される確率を増加させる。受信機４００は、その再生した高速ページング・ビットを使用して、引き続くページング・チャネル・メッセージをモニタするために目覚めさせるか、又はアクティブのまま留まらせるかどうかを判断する。
【００８１】
１つの実施形態では、ＣＲＣが失敗する場合、アクセス端末は、デフォルト動作としてページング・チャネルをモニタする。ＣＲＣが上手くいきそして対応する高速ページング・ビットが設定される場合、アクセス端末は、ページング・チャネルをモニタするように命令される。ＣＲＣが上手くいき、そして指定された高速ページング・ビットが０である場合、又はそうでなければアンアサートされる場合、アクセス端末は、スリープ状態に戻る。誤検出の確率は、ＣＲＣエラーを誤検出する確率に等しく、そしてその確率は、８ビット又はそれより多くのビットを有するＣＲＣのような強いＣＲＣでは非常に低い。
【００８２】
受信機４００は、アンテナ２５２を含み、それは受信した信号を受信機フロント・エンド２５４につなぐ。同期モジュール４１０は、受信機フロント・エンドとともに動作する。同期モジュール４１０は、受信した信号に基づいて、シンボル・タイミング及びそのシンボル・タイミングからフレーム・タイミングとスーパーフレーム・タイミングとを決定する。受信機フロント・エンド２５４は、同期情報を利用して、ＯＦＤＭシンボルを及び特にＱＰＣＨパケットを有するＯＦＤＭシンボルを持つＯＦＤＭプリアンブルを再生する。
【００８３】
受信機フロント・エンド２５４は、ＱＰＣＨパケットを有するＯＦＤＭシンボルをＲＸ  ＭＩＭＯデータ・プロセッサ２６０につなげる。ＲＸ  ＭＩＭＯデータ・プロセッサ２６０は、ＱＰＣＨパケットを再生するためにそのＱＰＣＨパケットがその上で変調されるＯＦＤＭサブキャリアを復調するように動作する。
【００８４】
ＲＸ  ＭＩＭＯデータ・プロセッサ２６０は、サブキャリアが変調されたものに相補的な方法でそのサブキャリアを復調する。すなわち、もしサブキャリアがＱＰＳＫ変調されるならば、ＲＸ  ＭＩＭＯデータ・プロセッサ２６０は、そのサブキャリアのＱＰＳＫ復調を実行する。
【００８５】
ＱＰＣＨパケットは、ＱＰＣＨデコーダ４２０につなげられる。ＱＰＣＨデコーダ４２０は、パケットが送信機においてエンコードされた方法に相補的な方式でＱＰＣＨパケットをデコードするように動作する。一般に、ＱＰＣＨデコーダ４２０は、送信機において実行された処理の相補的なものを実行し、それはＱＰＣＨパケットを生成するときに実行された、いずれかのインターリービング、エンコーディング、スクランブリング、繰り返し、及びその他、又はそれらの組み合わせに相補的なものを含む。
【００８６】
ＱＰＣＨが体系的なコードを用いてエンコードされる場合、受信機４００は、冗長コーディング・ビットを関係する高速ページング・ビットの値に基づいて条件付で処理することができる。例えば、受信機４００は、もし関係する高速ページング・ビットがあれば、コーディング・ビットを処理しないように判断することができる。そのような実施形態では、受信機４００は、偽のアサートされたビットを処理する確率のためにデコーディング処理に関係する処理エネルギーの兼ね合いを考慮することができる。別の実施形態では、受信機は、例えば、ＣＲＣビットであるか他の冗長ビットであるかのように、コーディング・ビットを常に検定するように構成されることができる。そのような実施形態では、デコーダ４２０は、受信したビット・エラーの存在を識別するように動作することができ、そしてある事例では、１又はそれより多くの誤りのある受信ビットを識別することができる。デコーダ４２０は、次にその識別した誤りのあるビットを訂正するように動作することができる。
【００８７】
デコーダ４２０の出力又はＱＰＣＨパケットの一部は、オプションとして高速ページング・ブロック逆圧縮モジュール４３０につなげられることができる。ＱＰＣＨが圧縮された高速ページング・ブロックと負荷制御ブロックとを含む実施形態では、デコーダ４２０は、少なくとも圧縮された高速ページング・ブロックを高速ページング・ブロック逆圧縮モジュール４３０につなぐことができ、そして負荷制御ブロックからのいかなるビットも逆圧縮モジュールにつなぐ必要がない。
【００８８】
高速ページング・ブロック逆圧縮モジュール４３０は、高速ページング・ブロックを圧縮するために使用したプロセスに相補的である方法でその圧縮された高速ページング・ブロックを逆圧縮するように動作する。上記の実施形態では、高速ページング・ブロックが予め決められた数までの高速ページング・ビットの位置を含むことによって高速ページング・ブロックが圧縮される場合、高速ページング・ブロック逆圧縮モジュール４３０は、その圧縮された高速ページング・ブロック中に示されたアサートされた高速ページング・ビットの数を最初に決定するように動作する。高速ページング・ブロック逆圧縮モジュール４３０は、圧縮された高速ページング・ブロックの長さを決定することができ、そして次に、任意のアサートされた高速ページング・ビットの位置のそれぞれを再生することができる。
【００８９】
高速ページング・ブロック逆圧縮モジュール４３０は、高速ページング・ブロックを再生することができ、そしてその高速ページング・ブロックを出力することができる。ページング・モジュール（図示されず）のような引き続くモジュールは、アクセス端末に割り当てられた高速ページング・ブロックがアサートされているかどうかを判断するために高速ページング・ブロックを検定することができる。
【００９０】
別の１つの実施形態では、高速ページング・ブロック逆圧縮モジュール４３０は、アクセス端末に関係付けられた高速ページング・ビットがアサートされているかどうかを判断するために圧縮された高速ページング・ブロック中のアサートされたビットの位置を検定することができる。この実施形態では、高速ページング・ブロック逆圧縮モジュール４３０は、高速ページング・ブロックを実際に再生する必要がない。
【００９１】
ページング・モジュール（図示されず）のような受信機４００内の他のモジュールは、高速ページング・ブロック情報で動作することができる。アクセス端末に関係付けられた高速ページング・ビットがアサートされる場合、ページング・モジュールは、ページング・メッセージをモニタするように受信機を管理することができる。あるいは、アクセス端末に関係付けられた高速ページング・ビットがアサートされない場合、ページング・モジュールは、ＱＰＣＨが次に生じるまでスリープ状態に移行するように受信機を管理することができる。
【００９２】
図５は、ページング・メッセージをアクセス端末に知らせるために１又はそれより多くのアサートされた高速ページング・ビットを有する高速ページング・ブロックを生成する方法５００の１実施形態の単純化したフローチャートである。方法５００は、例えば、図１のアクセス・ポイント中で実行されることができる。より詳しくは、方法５００は、例えば、図２の送信機システム又は図３の送信機によって実行されることができる。
【００９３】
この方法５００は、ブロック５１０において始まり、そこでは、アクセス・ポイント中の送信機は、ページング・メッセージを受信するようにスケジュールされたアクセス端末の数を及び識別情報を判断する。一般的に、スケジュールされるアクセス端末は、通信リンクがそれに対して望まれている現在アイドル状態であるかスリープ状態であるそれらのアクセス端末であり、そしてページング・メッセージが現在スケジュールされており、それは未だ送られていないページング・メッセージ又はそのアクセス端末に対する前のページング・メッセージが未だ受領通知されていないページング・メッセージである。
【００９４】
送信機は、ブロック５２０に進み、スケジュールされたページング・メッセージに基づいて高速ページング・ブロック中の高速ページング・ビットのステータスを判断する。送信機は、ページング・メッセージを受信するようにスケジュールされている１又はそれより多くのアクセス端末に関係する高速ページング・ビットを設定するように、又はそうでなければアサートするように構成されることができる。それに加えて、送信機は、ページング・メッセージがスケジュールされていないそれらのアクセス端末に関係付けられる高速ページング・ビットをクリアする又はそうでなければデアサートするように構成されることができる。１つの実施形態では、ビット値は、接続層（Connection Layer）中のアイドル状態プロトコル（Idle State Protocol）を使用することによって決定されることができる。
【００９５】
送信機は、ブロック５３０に進み、そしてスケジュールされアサートされたアクセス端末に関係付けられた高速ページング・ビット及びデアサートされた他の全ての高速ページング・ビットを有する高速ページング・ブロックを生成する。高速ページング・ブロックを生成した後で、送信機は、オプションとしてブロック５４０に進み、そして高速ページング・ブロックを圧縮して圧縮された高速ページング・ブロックを生成する。ある複数の実施形態では、送信機は、高速ページング・ブロックを圧縮しない。
【００９６】
送信機は、ブロック５５０に進み、そしてＱＰＣＨを介して送られる他の情報とその圧縮された高速ページング・ブロックとを統合する。１つの実施形態では、送信機は、その高速ページング・ブロックに負荷制御ブロックを添付する、それは実施形態に応じて、圧縮済みである又は未圧縮であるかのどちらかである。別の実施形態では、送信機は、高速ページング・ブロックに他の情報を添付する又は前に追加することができる。
【００９７】
送信機は、ブロック５６０に進み、ＱＰＣＨ情報をエンコードする。エンコーダは、高速ページング・ブロック及び追加情報を操作する。それゆえ、高速ページング・ビットのエンコーディングは、一緒に実行される。高速ページング・ビットは、別の高速ページング・ビットとともに、同様に負荷制御ブロックのような他の情報とともにエンコードされる。エンコードされた出力は、ＱＰＣＨパケットになる。
【００９８】
送信機は、ブロック５７０に進み、そして送信のためにＱＰＣＨパケットをスケジュールする。１つの実施形態では、送信機は、スーパーフレーム・プリアンブル中の複数のＯＦＤＭシンボルからの１つのシンボルで送信されるようにＱＰＣＨパケットをスケジュールする。ＱＰＣＨパケットがＯＦＤＭシステムのサブキャリアを搬送する情報を占有する場合、システム中のトラフィック・チャネル及び他のオーバーヘッド・チャネルを含む他のチャネルの全ては、ＱＰＣＨと時間ドメイン多重化される。同様に、ＱＰＣＨがＯＦＤＭシステムのサブキャリアを搬送する情報の１つの部分集合だけを占有する場合、別のチャネルの少なくとも一部がＱＰＣＨと時間ドメイン多重化され、与えられたサブキャリアは、ＱＰＣＨには専用にされない。
【００９９】
送信機は、ブロック５８０に進み、そしてスケジュールによって決定される適切な時刻においてＱＰＣＨパケットをＯＦＤＭシンボルにマッピングする。１つの実施形態では、ＯＦＤＭシンボルは、スーパーフレーム中に存在する最初の６個のプリアンブル・シンボル中の１つのシンボルである。当然のことながら、他の実施形態は、他のシンボル位置を有することができる。
【０１００】
送信機は、予め決められた変調タイプを使用してサブキャリア上へとＱＰＣＨパケットを変調することができる。その変調タイプは、適度な情報スループットをサポートしつつ、比較的ノイズに鈍感である１つの変調タイプであるように選択されることができる。１つの実施形態では、送信機は、ＯＦＤＭシンボルのサブキャリア上へとＱＰＣＨパケットをＱＰＳＫ変調する。
【０１０１】
ＯＦＤＭシンボルを生成した後で、送信機は、ブロック５９０に進み、そしてＱＰＣＨパケットを含んでいるＯＦＤＭシンボルを送信する。送信機は、例えば、所望のＲＦ動作帯域にＯＦＤＭシンボルを周波数変換することができ、そしてそのＲＦ動作帯域でＯＦＤＭシンボルを無線送信することができる。
【０１０２】
図６は、高速ページング・ブロックを処理する方法６００の１つの実施形態の単純化したフローチャートである。方法６００は、図１のアクセス端末において、図２の受信機システムにおいて、又は図３の受信機において実行されることができる。一般に、図６の方法６００は、図５のＱＰＣＨ生成方法に対して相補的であるように動作する。
【０１０３】
方法６００は、ブロック６１０において始まり、そこでは、受信機は１又はそれより多くのＯＦＤＭシンボルを受信する。少なくとも１つのＯＦＤＭシンボルは、ＱＰＣＨパケットを含むことができる。例えば、図５の方法では、ＱＰＣＨパケットは、１つのＯＦＤＭシンボル中に含まれることができる。１つの実施形態では、受信機は、スーパーフレーム・タイミングと同期し、そしてそのＱＰＣＨパケットに関係する少なくとも１つのＯＦＤＭシンボルを抽出する。
【０１０４】
受信機は、ブロック６２０に進み、そして適切なＯＦＤＭシンボルからＱＰＣＨパケットを再生する。１つの実施形態では、受信機は、ＯＦＤＭシンボルのサブキャリアを復調し、そしてＱＰＣＨパケット情報を再生する。
【０１０５】
受信機は、ブロック６３０に進み、そしてＱＰＣＨパケットをデコードして、もしあるならば、エラーの存在を判断する。ＱＰＣＨパケットを生成するために使用したエンコーディングのタイプに応じて、受信機は、デコーディング・プロセスの結果としてＱＰＣＨパケット中の１又はそれより多くのエラーを訂正する能力を有することができる。受信機は、しかも、ＱＰＣＨブロック情報をスクランブルする、インターリーブする、繰り返す、又はそうでなければ処理するように動作するもののような任意のコーディング操作に相補的なものも実行する。
【０１０６】
受信機は、オプションとしてブロック６４０に進み、そしてＱＰＣＨパケットの高速ページング・ブロック部分を逆圧縮する。１つの実施形態では、受信機は、可変長高速ページング・ブロックの長さを決定し、そして可変長の圧縮された高速ページング・ブロックを逆圧縮する。
【０１０７】
受信機は、ブロック６５０に進み、そして高速ページング・ビットのステータスを判断して、受信機又は受信機を有するアクセス端末に関係付けられた高速ページング・ビットがアサートされたかどうかを判断する。高速ページング・ブロックを逆圧縮するプロセスは、そのブロックが圧縮された方法に応じてオプションであり得る。高速ページング・ブロックがアサートされた高速ページング・ビットの位置を示すことによって圧縮される実施形態において、受信機は、未圧縮の高速ページング・ブロックを再生することを必要とせずに、関係する高速ページング・ビットがアサートされるかどうかを判断することができる。
【０１０８】
受信機が関係する高速ページング・ビットのステータスを判断した後で、受信機は、ブロック６６０に進み、そのビットのステータスに基づいて受信機の動作を管理する。関係する高速ページング・ビットがアサートされる場合、受信機は、ページング・メッセージに関する適切な時刻にページング・チャネルをモニタすることができる。関係する高速ページング・ビットがアサートされていないと受信機が判断する場合、受信機は、次のスケジュールされるＱＰＣＨパケットまでスリープ状態に移行することができる。
【０１０９】
図７は、高速ページング・ブロックを与える送信機７００の１つの実施形態の単純化した機能的ブロック図である。送信機７００は、システム時間とタイミングを同期させるための手段７０２を含み、それはタイミングを同期させるための手段７０２にしたがって情報をスケジュールするための手段７０４に接続される。情報をスケジュールするための手段７０４は、複数のアクセス端末のうちのどれが送信のためにスケジュールされたページング・メッセージを有するかを判断するために構成されることができる。
【０１１０】
情報をスケジュールするための手段７０４は、ＱＰＣＨブロックを生成するための手段７１０に接続され、それはスケジュールされたページング・チャネル送信に基づいて高速ページング・ブロックを生成するために構成される。情報をスケジュールするための手段７０４は、アクセス端末に対するスケジュールされたメッセージの存在を判断するための手段として動作する。ＱＰＣＨブロックを生成するための手段７１０は、高速ページング・ブロック中の複数の高速ページング・ビットから１つの高速ページング・ビットを設定するための手段として構成される。ＱＰＣＨブロックを生成するための手段７１０は、スケジュールされたメッセージを有するアクセス端末に対応する高速ページング・ビットを設定する。ＱＰＣＨブロックを生成するための手段７１０は、情報を統合するための手段７３０に高速ページング・ブロックをつなげる。
【０１１１】
追加情報を生成するための手段７２０は、ＱＰＣＨパケットに含まれるべき情報の１又はそれより多くのビット、ブロック、又はフィールドを生成するために構成される。追加情報を生成するための手段７２０は、情報を統合するための手段７３０に追加情報をつなげる。
【０１１２】
情報を統合するための手段７３０は、高速ページング・ブロックと追加情報とを結合する、統合する、又はそうでなければ連結するように動作する。１つの実施形態では、負荷制御ブロックは、高速ページング・ブロックと連結されて、高速ページング・ブロックと負荷制御ブロックとの連結であるＱＰＣＨパケットを生成する。
【０１１３】
情報を統合するための手段７３０の出力は、ＱＰＣＨパケットをエンコードするための手段７４０につなげられ、それは連結されたＱＰＣＨパケットをエンコードするように動作する。ＱＰＣＨパケットをエンコードするための手段７４０は、高速ページング・ブロックをエンコードし、そしてエンコードされた高速ページング・パケットを生成する。すなわち、ＱＰＣＨパケットをエンコードするための手段７４０は、個別のアクセス端末に対応する少なくとも１つの追加の高速ページング・ビットと各高速ページング・ビットとを一緒にエンコードする。ＱＰＣＨパケットをエンコードするための手段７４０は、エンコードされたＱＰＣＨパケットをＴＸ処理するための手段７５０につなげ、それはシステムに応じてＴＸ  ＭＩＭＯを処理するためであり得る。ＴＸ処理するための手段７５０は、エンコードされたＱＰＣＨパケットの少なくとも一部分を有する少なくとも１つのＯＦＤＭシンボルを生成するように動作する。ＴＸ処理するための手段７５０は、ＯＦＤＭシンボルのストリームから少なくとも１つのＯＦＤＭシンボルを生成し、そしてそれゆえ高速ページング・ブロックを有するエンコードされた高速ページング・パケットとチャネルを経由する個別の情報とを時分割多重化する。ＴＸ処理するための手段７５０の出力は、送信するための手段７６０につなげられ、それはアンテナ７６２を使用する送信のために、少なくとも１つのＯＦＤＭシンボルを無線周波数に処理するように動作する。
【０１１４】
図７に見られるように、手段７０２，７０４，７１２，７２０，及び７５０は、オプションであり、そしてアプリケーション及びシステム設計に基づいて省略されることができる。
【０１１５】
図８は、高速ページング・ブロックを処理するために構成された受信機８００の１つの実施形態の単純化した機能的ブロック図である。受信機８００は、ＱＰＣＨパケットを有するＯＦＤＭシンボルを受信するために構成されたアンテナ８５２を含む。アンテナは、高速ページング・パケットを受信するために構成されたＯＦＤＭ情報を受信するための手段８５４にＯＦＤＭシンボルをつなげ、そして受信したＯＦＤＭシンボルをベースバンドＯＦＤＭシンボル又はＯＦＤＭサンプルへと処理する。タイミングを同期させるための手段８１０は、ＯＦＤＭシンボル・タイミングに合わせるように受信したサンプルを同期させるように動作する。
【０１１６】
ＯＦＤＭ情報を受信するための手段８５４の出力は、ＲＸ  ＭＩＭＯを処理するための手段８６０につなげられ、それはＯＦＤＭサブキャリア上に変調された基盤となる情報を再生するために、ＯＦＤＭシンボルを処理するために構成される。ＱＰＣＨパケットを有するＯＦＤＭシンボルに関して、ＲＸ  ＭＩＭＯを処理するための手段８６０は、ＯＦＤＭサブキャリアを復調して、エンコードされたＱＰＣＨパケットを再生する。
【０１１７】
ＲＸ  ＭＩＭＯを処理するための手段８６０は、エンコードされたＱＰＣＨパケットをＱＰＣＨパケットをデコーディングするための手段８２０につなげ、それは高速ページング・ブロックを含んでいるＱＰＣＨパケットを再生するためにエンコードされたＱＰＣＨパケットをデコードするために構成される。ＱＰＣＨパケットをデコーディングするための手段８２０の出力は、高速ページング・ビットのうちのどれがアサートされるかを判断するためにＱＰＣＨパケットのＱＰＣＨブロックを逆圧縮するための手段８３０にオプションとしてつなげられる。ＱＰＣＨブロックを逆圧縮するための手段８３０は、逆圧縮プロセスの出力に基づいて特定のアクセス端末に関係付けられた高速ページング・ビットのステータスを判断するための手段としも同様に動作することができる。受信機は、関係付けられた高速ページング・ビットのステータスに基づいてどのような行動を取るかを決定することができる。
【０１１８】
高速ページング・チャネル・フォーマットと高速ページング・チャネル・パケット、及び高速ページング・パケットを生成するためのプロセスが本明細書中に記載されてきた。一緒にエンコードされた高速ページング・パケットは、無線受信機のところで高速ページング・ビットの正確な再生を支援するために冗長ビットが生成されることを可能にする。高速ページング・ビットを正確に再生するための能力の改善は、その受信機に宛てられたページング・メッセージが失われる確率を低減する。
【０１１９】
本明細書中で使用されるように、用語つなげられる又は接続されるは、直接のカップリング又は接続と同様に間接的なカップリングを意味するように使用される。２又はそれより多くのブロック、モジュール、又は装置がつなげられる場合には、その２つのつなげられるブロックの間に１又はそれより多くの介在するブロックがあり得る。
【０１２０】
本明細書中に開示された実施形態に関連して記載された様々な例示の論理ブロック、モジュール、及び回路は、汎用プロセッサ、ディジタル信号プロセッサ（ＤＳＰ：digital signal processor）、縮小命令セット・コンピュータ（ＲＩＳＣ：Reduced Instruction Set Computer）プロセッサ、用途特定集積回路（ＡＳＩＣ：application specific integrated circuit）、フィールド・プログラマブル・ゲートアレイ（ＦＰＧＡ：field programmable gate array）又は他のプログラマブル論理デバイス、ディスクリート・ゲート論理回路又はトランジスタ論理回路、ディスクリート・ハードウェア・コンポーネント、又は本明細書中で説明された機能を実行するために設計されたこれらのいずれかの組み合わせで、与えられる又は実行されることができる。汎用プロセッサは、マイクロプロセッサであり得るが、しかし代わりに、プロセッサは、いずれかのプロセッサ、コントローラ、マイクロコントローラ、又はステート・マシンであり得る。プロセッサは、演算デバイスの組み合わせとして与えられることができ、例えば、ＤＳＰとマイクロプロセッサとの組み合わせ、複数のマイクロプロセッサの組み合わせ、ＤＳＰコアとともに１又はそれより多くのマイクロプロセッサの組み合わせ、若しくはいずれかの別のそのような構成の組み合わせであり得る。
【０１２１】
ファームウェア及び／又はソフトウェアの実行に関して、本明細書中に記載された技術は、本明細書中に説明された機能を実行するモジュール（例えば、手順、機能、及びその他）を用いて実行されることができる。ファームウェア・コード及び／又はソフトウェア・コードは、メモリ中に記憶されることができ、そしてプロセッサによって実行されることができる。メモリは、プロセッサの内部に搭載されることができる、又はプロセッサの外部に与えられることができる。
【０１２２】
本明細書中に開示された実施形態に関連して説明された方法、プロセス又はアルゴリズムのステップは、ハードウェアにおいて、プロセッサにより実行されるソフトウェア・モジュールにおいて、又は両者の組み合わせにおいて直接実現されることができる。方法又はプロセス中の様々なステップ又は動作は、示された順番で実行されることができる、又は別の順番で実行されることができる。それに加えて、１又はそれより多くのプロセス又は方法のステップが、省略されることができる、若しくは、１又はそれより多くのプロセス又は方法のステップが、その方法及びプロセスに追加されることができる。追加のステップ、ブロック、又は動作は、本方法及びプロセスの既存の要素の始めに、終わりに、又は中間に追加されることができる。
【０１２３】
開示された実施形態の上記の説明は、当業者が、本開示を作成する又は使用することを可能にするために提供される。これらの実施形態への様々な変形は、当業者に容易に明白にされるであろう。そして、ここで規定された一般的な原理は、本開示の精神及び範囲から逸脱することなく、別の実施形態に適用されることができる。それゆえ、本明細書は、ここに示された実施形態に限定することを意図したものではなく、本明細書中に開示された原理及び新奇な機能と整合する最も広い範囲に一致すべきである。
【図面の簡単な説明】
【０１２４】
【図１】図１は、多元接続無線通信システムの１つの実施形態の単純化した機能的ブロック図である。
【図２】図２は、多元接続無線通信システムにおける送信機及び受信機の１つの実施形態の単純化した機能的ブロック図である。
【図３】図３は、高速ページング・ブロックを与える送信機の１つの実施形態の単純化した機能的ブロック図である。
【図４】図４は、高速ページング・ブロックを処理するために構成された受信機の１つの実施形態の単純化した機能的ブロック図である。
【図５】図５は、高速ページング・ブロックを生成する方法の１つの実施形態の単純化したフローチャートである。
【図６】図６は、高速ページング・ブロックを処理する方法の１つの実施形態の単純化したフローチャートである。
【図７】図７は、高速ページング・ブロックを与える送信機の１つの実施形態の単純化した機能的ブロック図である。
【図８】図８は、高速ページング・ブロックを処理するために構成された受信機の１つの実施形態の単純化した機能的ブロック図である。
【符号の説明】
【０１２５】
１００…多元接続無線通信システム，１０２，１０４，１０６…セル，１１２，１１４，１１６，１１８，１２０，１２２，１２４，１２６，１２８…アンテナ，１３０，１３２，１３４，１３６，１３８，１４０…アクセス端末，１４２，１４４，１４６…アクセス・ポイント，２００…多元接続無線通信システム，２１０…送信機システム，２５０…受信機システム，２２４，２５２…アンテナ，３００…送信機，４００…受信機。
【図１】
2011151818.tif 000005
【図２】
2011151818.tif 000006
【図３】
2011151818.tif 000007
【図４】
2011151818.tif 000008
【図５】
2011151818.tif 000009
【図６】
2011151818.tif 000010
【図７】
2011151818.tif 000011
【図８】
2011151818.tif 000012
【手続補正書】
【提出日】平成23年3月22日(2011.3.22)
【手続補正１】
【補正対象書類名】特許請求の範囲
【補正対象項目名】全文
【補正方法】変更
【補正の内容】
【特許請求の範囲】
【請求項１】
１又はそれより多くのプロセッサによって利用されることができるコンピュータ読み取り可能な命令を含んでいるコンピュータ読み取り可能な媒体であって、該命令は、
アクセス端末に対してスケジュールされるメッセージの存在を判断するための命令；
高速ページング・ブロック中の複数の高速ページング・ビットから１つの高速ページング・ビットを設定するための命令、ここにおいて、該１つの高速ページング・ビットは該アクセス端末に対応する；
圧縮された高速ページング・ブロックを生成するために、該高速ページング・ブロックを圧縮するための命令；
エンコードされた高速ページング・パケットを生成するために該圧縮された高速ページング・ブロックをエンコードするための命令；
該エンコードされた高速ページング・ブロックの少なくとも一部分を有する少なくとも１つの直交周波数分割多重化（ＯＦＤＭ）シンボルを生成するための命令；及び
該少なくとも１つのＯＦＤＭシンボルを送信するための命令、
を具備し、
該高速ページング・ブロックを圧縮するための命令は、
該複数の高速ページング・ビットからアサートされた高速ページング・ビットの数を決定するための命令；及び
該アサートされたビットの数が予め決められた量より小さい場合、該高速ページング・ブロック内の該アサートされた高速ページング・ビットの位置を示す連続するフィールドを生成するための命令
を含む
ことを特徴とする、コンピュータ読み取り可能な媒体。
【請求項２】
１又はそれより多くのプロセッサによって利用されることができるコンピュータ読み取り可能な命令を含んでいるコンピュータ読み取り可能な媒体であって、該命令は、
複数のアクセス端末に対応する複数のビットを有する高速ページング・ブロック中に１つのアクセス端末に対応する１つの高速ページング・ビットを設定するための命令；
圧縮された高速ページング・ブロックを生成するために該高速ページング・ブロックを圧縮するための命令；及び
エンコードされた高速ページング・ブロックを生成するために該圧縮された高速ページング・ブロックをエンコードするための命令、
を具備し、
該高速ページング・ブロックを圧縮するための命令は、
該複数の高速ページング・ビットからアサートされた高速ページング・ビットの数を決定するための命令；及び
該アサートされたビットの数が予め決められた量より小さい場合、該高速ページング・ブロック内の該アサートされた高速ページング・ビットの位置を示す連続するフィールドを生成するための命令
を含む
ことを特徴とする、コンピュータ読み取り可能な媒体。
【請求項３】
１又はそれより多くのプロセッサによって利用されることができるコンピュータ読み取り可能な命令を含んでいるコンピュータ読み取り可能な媒体であって、該命令は、
高速ページング・パケットを処理するための命令；
高速ページング・ブロックを生成するために該高速ページング・パケットをデコードするための命令；
該高速ページング・ブロックを逆圧縮するための命令；及び
該逆圧縮プロセスの出力に基づいてアクセス端末に関係付けられた高速ページング・ビットのステータスを判断するための命令、
を具備し、
該高速ページング・ブロックを逆圧縮するための命令は、
該高速ページング・ブロックに表された、アサートされた高速ページング・ビットの数を判断するための命令；及び
アクセス端末に関連付けられた高速ページング・ビットがアサートされているかどうかを判断するために、該高速ページング・ブロック内の連続するフィールドにおける該アサートされた高速ページング・ビットの位置を調べるための命令
を含む
ことを特徴とする、コンピュータ読み取り可能な媒体。
【請求項４】
該命令が、
該逆圧縮プロセスの出力に基づいて該高速ページング・ブロック中のアサートされたビットの位置を決定するための命令；及び
該位置を該アクセス端末に関係付けられた該高速ページング・ビットの位置と比較するための命令、
をさらに備えることを特徴とする、請求項３のコンピュータ読み取り可能な媒体。
【手続補正２】
【補正対象書類名】明細書
【補正対象項目名】０１２５
【補正方法】変更
【補正の内容】
【０１２５】
１００…多元接続無線通信システム，１０２，１０４，１０６…セル，１１２，１１４，１１６，１１８，１２０，１２２，１２４，１２６，１２８…アンテナ，１３０，１３２，１３４，１３６，１３８，１４０…アクセス端末，１４２，１４４，１４６…アクセス・ポイント，２００…多元接続無線通信システム，２１０…送信機システム，２５０…受信機システム，２２４，２５２…アンテナ，３００…送信機，４００…受信機。
以下に本件出願当初の特許請求の範囲に記載された発明を付記する。
［Ｃ１］アクセス端末に通知する方法であって、
該アクセス端末に対してスケジュールされるメッセージの存在を判断すること；
高速ページング・ブロック中の複数の高速ページング・ビットから１つの高速ページング・ビットを設定すること、ここにおいて、該高速ページング・ビットは該アクセス端末に対応する；
エンコードされた高速ページング・パケットを生成するために該高速ページング・ブロックをエンコードすること；
該エンコードされた高速ページング・ブロックの少なくとも一部分を有する少なくとも１つの直交周波数分割多重化（ＯＦＤＭ）シンボルを生成すること；及び
該少なくとも１つのＯＦＤＭシンボルを送信すること、
を具備する方法。
［Ｃ２］該少なくとも１つのＯＦＤＭシンボルを該生成することは、全体のエンコードされた高速ページング・ブロックを有する該少なくとも１つのＯＦＤＭシンボルを生成することを備える、請求項１の方法。
［Ｃ３］該高速ページング・ブロックとは異なる追加ビットを生成すること；及び
該高速ページング・ブロックをエンコードする前に該高速ページング・ブロックに該追加ビットを添付すること、
をさらに具備する、請求項１の方法。
［Ｃ４］圧縮された高速ページング・ブロックを生成するために該高速ページング・ブロックを圧縮すること、をさらに具備し、そして
ここにおいて、該高速ページング・ブロックをエンコードすることは、該圧縮された高速ページング・ブロックをエンコードすることを備える、
ことを特徴とする、請求項１の方法。
［Ｃ５］該高速ページング・ブロックを圧縮することは、
該複数の高速ページング・ビットからアサートされた高速ページング・ビットの数を決定すること；及び
該アサートされたビットの数が予め決められた量より小さい場合、該高速ページング・ブロック内の該アサートされた高速ページング・ビットの位置を示す連続するフィールドを生成すること、
を備える、請求項４の方法。
［Ｃ６］該高速ページング・ブロックを圧縮することは、
該複数の高速ページング・ビットからアサートされた高速ページング・ビットの数を決定すること；及び
該アサートされたビットの数が予め決められた量より大きい場合、該高速ページング・ブロックを表示する予め決められた値を生成すること、
を備える、請求項４の方法。
［Ｃ７］該高速ページング・ブロックをエンコードすることは、該高速ページング・ブロックを体系的にエンコードすることを備える、請求項１の方法。
［Ｃ８］該高速ページング・ブロックをエンコードすることは、該高速ページング・ブロックを含んでいるパケットの巡回冗長コードを生成することを備える、請求項１の方法。
［Ｃ９］該少なくとも１つのＯＦＤＭシンボルを送信することは、少なくとも１つのチャネルを介して別の情報と該少なくとも１つのＯＦＤＭシンボルとを時分割多重化することを備える、請求項１の方法。
［Ｃ１０］該少なくとも１つのＯＦＤＭシンボルを送信することは、スーパーフレーム・プリアンブルの間に該少なくとも１つのＯＦＤＭシンボルを送信することを備える、請求項１の方法。
［Ｃ１１］アクセス端末に通知する方法であって、
複数のアクセス端末に対応する複数のビットを有する高速ページング・ブロック中に該アクセス端末に対応する１つの高速ページング・ビットを設定すること；
圧縮された高速ページング・ブロックを生成するために該高速ページング・ブロックを圧縮すること；及び
エンコードされた高速ページング・ブロックを生成するために該圧縮された高速ページング・ブロックをエンコードすること、
を具備する方法。
［Ｃ１２］無線通信システムの少なくとも１つのチャネルを介して別の情報と該エンコードされた高速ページング・ブロックとを時分割多重化することをさらに具備する、請求項１１の方法。
［Ｃ１３］該エンコードされた高速ページング・ブロックの少なくとも一部分を有する直交周波数分割多重化（ＯＦＤＭ）シンボルを生成すること；及び
該ＯＦＤＭシンボルを送信すること、
をさらに具備する、請求項１１の方法。
［Ｃ１４］該ＯＦＤＭシンボルを生成することは、該ＯＦＤＭシンボルの実質的に全ての信号を搬送するサブキャリア上へと該エンコードされた高速ページング・ブロックの少なくとも一部分を変調することを備える、請求項１３の方法。
［Ｃ１５］該ＯＦＤＭシンボルを生成することは、該ＯＦＤＭシンボルのサブキャリアの少なくとも部分集合上へと該エンコードされた高速ページング・ブロックの少なくとも一部分を直角位相シフト・キーイング（ＱＰＳＫ）変調することを備える、請求項１３の方法。
［Ｃ１６］高速ページング・メッセージを処理する方法であって、
高速ページング・パケットを受信すること；
高速ページング・ブロックを生成するために該高速ページング・パケットをデコードすること；
該高速ページング・ブロックを逆圧縮すること；及び
該逆圧縮プロセスの出力に基づいてアクセス端末に関係付けられた高速ページング・ビットのステータスを判断すること、
を具備する方法。
［Ｃ１７］該高速ページング・パケットを受信することは、該高速ページング・ブロックと負荷制御ブロックとを含んでいる該高速ページング・パケットを受信することを備える、請求項１６の方法。
［Ｃ１８］該高速ページング・パケットを受信することは、該高速ページング・パケットの少なくとも一部分を有する直交周波数分割多重化（ＯＦＤＭ）シンボルを受信することを備える、請求項１６の方法。
［Ｃ１９］該高速ページング・ビットの該ステータスを判断することは、
該逆圧縮プロセスの出力に基づいて該高速ページング・ブロック中のアサートされたビットの位置を決定すること；及び
該位置を該アクセス端末に関係付けられた該高速ページング・ビットの位置と比較すること、
を備える、請求項１６の方法。
［Ｃ２０］高速ページング・メッセージを生成するための装置であって、システムは、
アクセス端末に対してスケジュールされたページング・メッセージを判断するために構成されたスケジューラ；
該スケジューラに接続され、そして該アクセス端末に対応する高速ページング・ビットをアサートするために構成され且つ少なくとも該高速ページング・ビットと別個のアクセス端末に対応する別個の高速ページング・ビットとを有する高速ページング・ブロックを生成するために構成された高速ページング・ブロック生成器；
該高速ページング・ブロック生成器に接続され、そして該高速ページング・ブロックに基づいてエンコードされた高速ページング・パケットを生成するために構成されたエンコーダ；及び
該エンコーダに接続され、そして該エンコードされた高速ページング・パケットの少なくとも一部分を有する少なくとも１つの直交周波数分割多重化（ＯＦＤＭ）シンボルを生成するために構成された送信プロセッサ、
を具備することを特徴とする、装置。
［Ｃ２１］該高速ページング・ブロック生成器に接続され、そして該高速ページング・ブロックを圧縮するため且つ圧縮された高速ページング・ブロックを生成するために構成された圧縮ブロック、をさらに具備し、そして
ここにおいて、該エンコーダは、該圧縮ブロックに接続され、そして該圧縮された高速ページング・ブロックに基づいて該エンコードされた高速ページング・パケットを生成するために構成される
ことを特徴とする、請求項２０の装置。
［Ｃ２２］高速ページング・ビットとは異なる少なくとも１つのビットを有する負荷制御ブロックを生成するために構成された負荷制御モジュール；
該高速ページング・ブロック生成器及び負荷制御ブロックに接続され、そして該負荷制御ブロックと該高速ページング・ブロックとを統合するために構成された統合器、をさらに具備し、そして
ここにおいて、該エンコーダは該統合器の統合された出力をエンコードするために構成される
ことを特徴とする、請求項２０の装置。
［Ｃ２３］該送信プロセッサに接続され、そしてスーパーフレーム・プリアンブルの間に該少なくとも１つのＯＦＤＭシンボルを送信するために構成された送信機
をさらに具備する、請求項２０のシステム。
［Ｃ２４］該エンコーダに接続され、そして少なくとも１つのチャネルを介して該エンコードされた高速ページング・パケットを別の情報と時分割多重化するために構成された送信機
をさらに具備する、請求項２０のシステム。
［Ｃ２５］アクセス端末に通知するための装置であって、システムは、
該アクセス端末に対してスケジュールされるメッセージの存在を判断するための手段；
高速ページング・ブロック中の複数の高速ページング・ビットから１つの高速ページング・ビットを設定するための手段、ここにおいて、該高速ページング・ビットは該アクセス端末に対応する；
エンコードされた高速ページング・パケットを生成するために該高速ページング・ブロックをエンコードするための手段；
該エンコードされた高速ページング・ブロックの少なくとも一部分を有する少なくとも１つの直交周波数分割多重化（ＯＦＤＭ）シンボルを生成するための手段；及び
該少なくとも１つのＯＦＤＭシンボルを送信するための手段、
を具備する装置。
［Ｃ２６］該少なくとも１つのＯＦＤＭシンボルを生成するための該手段は、エンコードされた高速ページング・ブロック全体を有する少なくとも１つのＯＦＤＭシンボルを生成するための手段を備える、請求項２５の装置。
［Ｃ２７］該高速ページング・ブロックとは異なる追加ビットを生成するための手段；及び
該高速ページング・ブロックをエンコードする前に該高速ページング・ブロックに該追加ビットを添付するための手段、
をさらに具備する、請求項２５の装置。
［Ｃ２８］圧縮された高速ページング・ブロックを生成するために該高速ページング・ブロックを圧縮するための手段、をさらに具備し、そして
ここにおいて、該高速ページング・ブロックをエンコードするための該手段は、該圧縮された高速ページング・ブロックをエンコードするための手段を備える、
ことを特徴とする、請求項２５の装置。
［Ｃ２９］該高速ページング・ブロックを圧縮するための該手段は、
該複数の高速ページング・ビットからアサートされた高速ページング・ビットの数を決定するための手段；及び
該アサートされたビットの数が予め決められた量より小さい場合、該高速ページング・ブロック内の該アサートされた高速ページング・ビットの位置を示す連続するフィールドを生成すること、
を備える、請求項２８の方法。
［Ｃ３０］該高速ページング・ブロックを圧縮するための該手段は、
該複数の高速ページング・ビットからアサートされた高速ページング・ビットの数を決定するための手段；及び
該アサートされたビットの数が予め決められた量より大きい場合、該高速ページング・ブロックを表示する予め決められた値を生成するための手段、
を備える、請求項２８の方法。
［Ｃ３１］アクセス端末に通知するための装置であって、システムは、
該アクセス端末に対応する高速ページング・ビットを設定するための手段；
エンコードされた高速ページング・ブロックを生成するために別個のアクセス端末に対応する少なくとも１つの追加高速ページング・ビットとともに該高速ページング・ビットを一緒にエンコーディングするための手段；及び
チャネルを介して別個の情報と該エンコードされた高速ページング・ブロックとを時分割多重化するための手段、
を具備することを特徴とする、装置。
［Ｃ３２］無線通信システムの少なくとも１つのチャネルを介して別の情報と該エンコードされた高速ページング・ブロックとを時分割多重化するための手段をさらに具備する、請求項３１の装置。
［Ｃ３３］該エンコードされた高速ページング・ブロックの少なくとも一部分を有する少なくとも１つの直交周波数分割多重化（ＯＦＤＭ）シンボルを生成するための手段、
をさらに具備する、請求項３１の装置。
［Ｃ３４］該少なくとも１つのＯＦＤＭシンボルを生成するための該手段は、該少なくとも１つのＯＦＤＭシンボルの実質的に全ての信号を搬送するサブキャリア上へと該エンコードされた高速ページング・ブロックの少なくとも一部分を変調することを備える、請求項３３の装置。
［Ｃ３５］該少なくとも１つＯＦＤＭシンボルを生成することは、該少なくとも１つのＯＦＤＭシンボルのサブキャリアの少なくとも部分集合上へと該エンコードされた高速ページング・ブロックの少なくとも一部分を直角位相シフト・キーイング（ＱＰＳＫ）変調することを備える、請求項３３の装置。
［Ｃ３６］高速ページング・メッセージを処理するための装置であって、システムは
高速ページング・パケットを受信するための手段；
高速ページング・ブロックを生成するために該高速ページング・パケットをデコードするための手段；
該高速ページング・ブロックを逆圧縮するための手段；及び
該逆圧縮プロセスの出力に基づいてアクセス端末に関係付けられた高速ページング・ビットのステータスを判断するための手段、
を具備することを特徴とする、装置。
［Ｃ３７］該高速ページング・パケットを受信するための該手段は、該高速ページング・ブロックと負荷制御ブロックとを含んでいる該高速ページング・パケットを受信するための手段を備える、請求項３６の装置。
［Ｃ３８］該高速ページング・パケットを受信するための該手段は、該高速ページング・パケットの少なくとも一部分を有する少なくとも１つの直交周波数分割多重化（ＯＦＤＭ）シンボルを受信するための手段を備える、請求項３６の装置。
［Ｃ３９］該高速ページング・ビットの該ステータスを判断するための該手段は、
該逆圧縮プロセスの出力に基づいて該高速ページング・ブロック中のアサートされたビットの位置を決定するための手段；及び
該位置を該アクセス端末に関係付けられた該高速ページング・ビットの位置と比較するための手段、
を備える、請求項３６の装置。
［Ｃ４０］１又はそれより多くのプロセッサによって利用されることができる命令を含んでいるプロセッサ読み取り可能な媒体であって、該命令は、
該アクセス端末に対してスケジュールされるメッセージの存在を判断するための命令；
高速ページング・ブロック中の複数の高速ページング・ビットから１つの高速ページング・ビットを設定するための命令、ここにおいて、該高速ページング・ビットは該アクセス端末に対応する；
エンコードされた高速ページング・パケットを生成するために該高速ページング・ブロックをエンコードするための命令；
該エンコードされた高速ページング・ブロックの少なくとも一部分を有する少なくとも１つの直交周波数分割多重化（ＯＦＤＭ）シンボルを生成するための命令；及び
該少なくとも１つのＯＦＤＭシンボルを送信するための命令、
を具備することを特徴とする、プロセッサ読み取り可能な媒体。
［Ｃ４１］該命令は、
圧縮された高速ページング・ブロックを生成するために該高速ページング・ブロックを圧縮するための命令、
をさらに具備することを特徴とする、請求項４１のプロセッサ読み取り可能な媒体。
［Ｃ４２］１又はそれより多くのプロセッサによって利用されることができる命令を含んでいるプロセッサ読み取り可能な媒体であって、該命令は、
複数のアクセス端末に対応する複数のビットを有する高速ページング・ブロック中に該アクセス端末に対応する高速ページング・ビットを設定するための命令；
圧縮された高速ページング・ブロックを生成するために該高速ページング・ブロックを圧縮するための命令；及び
エンコードされた高速ページング・ブロックを生成するために該圧縮された高速ページング・ブロックをエンコードするための命令、
を具備することを特徴とする、プロセッサ読み取り可能な媒体。
［Ｃ４３］１又はそれより多くのプロセッサによって利用されることができる命令を含んでいるプロセッサ読み取り可能な媒体であって、該命令は、
高速ページング・パケットを処理するための命令；
高速ページング・ブロックを生成するために該高速ページング・パケットをデコードするための命令；
該高速ページング・ブロックを逆圧縮するための命令；及び
該逆圧縮プロセスの出力に基づいてアクセス端末に関係付けられた高速ページング・ビットのステータスを判断するための命令、
を具備することを特徴とする、プロセッサ読み取り可能な媒体。
［Ｃ４４］該命令は、
該逆圧縮プロセスの出力に基づいて該高速ページング・ブロック中のアサートされたビットの位置を決定するための命令；及び
該位置を該アクセス端末に関係付けられた該高速ページング・ビットの位置と比較するための命令、
をさらに備えることを特徴とする、請求項４１のプロセッサ読み取り可能な媒体。
【外国語明細書】
2011151818000001.pdf